(57)【特許請求の範囲】
【請求項１】
ワイヤレス通信システム中での、担当基地局により担当されているユーザ機器の干渉管理を容易にする方法であって、前記方法は下記を具備する、
非担当基地局において、前記担当基地局により担当されている前記ユーザ機器を前記非担当基地局に接続するための、ハンドオーバ要求メッセージを受信することと、ここにおいて前記担当基地局により担当されている前記ユーザ機器は、前記非担当基地局に接続することを許可されていない、
前記非担当基地局において、前記担当基地局により担当されている前記ユーザ機器に関する情報を取得するために、前記メッセージを処理することと、
前記非担当基地局において、前記情報を使用して、前記ユーザ機器に対する信号情報を決定すること。
【請求項２】
前記情報は、低速時間スケールの情報である請求項１記載の方法。
【請求項３】
前記低速時間スケールの情報は、協調情報のシグナリングにおいて提供され、協調情報はハンドオーバシグナリングである請求項２記載の方法。
【請求項４】
前記取得することは、
前記担当基地局が、前記非担当基地局に関する測定値報告を、前記担当基地局により担当されているユーザ機器から受信すること、または、
前記担当基地局により担当されているユーザ機器が、前記非担当基地局への接続を試み、前記非担当基地局が、前記情報を取得するステップを開始すること、
のうちの少なくとも１つに応答して実行される請求項３記載の方法。
【請求項５】
前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す請求項４記載の方法。
【請求項６】
非担当基地局に対する、制限されているアクセスのルールに起因して、前記非担当基地局による、前記担当基地局により担当されているユーザ機器へのアクセスを認めないことをさらに含む請求項３記載の方法。
【請求項７】
前記担当基地局により担当されているユーザ機器の干渉管理を、前記非担当基地局において実行することをさらに含み、干渉管理は、決定された信号情報に少なくとも部分的に基づいて実行される請求項６記載の方法。
【請求項８】
干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記非担当基地局により担当されているユーザ機器に対して電力制御を実行すること、のうちの少なくとも１つを含む請求項７記載の方法。
【請求項９】
前記低速時間スケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記ワイヤレス通信システムは、ユニバーサル移動体電気通信システムである請求項２記載の方法。
【請求項１０】
前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記ワイヤレス通信システムは、ロングタームエボリューションシステムである請求項２記載の方法。
【請求項１１】
前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む請求項１０記載の方法。
【請求項１２】
下記を具備する、ワイヤレス通信システム中での、担当基地局により担当されているユーザ機器の干渉管理を容易にするためのコンピュータ可読記憶媒体、
非担当基地局において、前記担当基地局により担当されている前記ユーザ機器を前記非担当基地局に接続するための、ハンドオーバ要求メッセージをコンピュータに受信させるためのコードと、ここにおいて前記担当基地局により担当されている前記ユーザ機器は、前記非担当基地局に接続することを許可されていない、
前記非担当基地局において、前記担当基地局により担当されている前記ユーザ機器に関する情報を取得するために、前記メッセージを前記コンピュータに処理させるためのコードと、
前記非担当基地局において、前記情報を使用して、前記ユーザ機器に対する信号情報を前記コンピュータに決定させるためのコード。
【請求項１３】
前記情報は、低速時間スケールの情報である請求項１２記載のコンピュータ可読記憶媒体。
【請求項１４】
前記低速時間スケールの情報は、協調情報のシグナリングにおいて提供され、協調情報はハンドオーバシグナリングである請求項１３記載のコンピュータ可読記憶媒体。
【請求項１５】
前記取得することは、前記担当基地局が、前記非担当基地局に関する測定値報告を、前記ユーザ機器から受信すること、または、前記担当基地局により担当されているユーザ機器が、前記非担当基地局への接続を試み、前記非担当基地局が、前記情報を取得するステップを開始すること、のうちの少なくとも１つに応答して実行される請求項１４記載のコンピュータ可読記憶媒体。
【請求項１６】
前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す請求項１５記載のコンピュータ可読記憶媒体。
【請求項１７】
非担当基地局に対する、制限されているアクセスのルールに起因して、前記非担当基地局による、前記担当基地局により担当されているユーザ機器へのアクセスを、前記コンピュータに認めないようにさせるためのコードをさらに含む請求項１４記載のコンピュータ可読記憶媒体。
【請求項１８】
前記担当基地局により担当されているユーザ機器の干渉管理を、前記非担当基地局において、前記コンピュータに実行させるためのコードをさらに含み、前記干渉管理は、決定された信号情報に少なくとも部分的に基づいて実行される請求項１７記載のコンピュータ可読記憶媒体。
【請求項１９】
干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記非担当基地局により担当されているユーザ機器に対して電力制御を実行すること、のうちの少なくとも１つを含む請求項１８記載のコンピュータ可読記憶媒体。
【請求項２０】
前記低速時間スケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである請求項１３記載のコンピュータ可読記憶媒体。
【請求項２１】
前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである請求項１３記載のコンピュータ可読記憶媒体。
【請求項２２】
前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む請求項２１記載のコンピュータ可読記憶媒体。
【請求項２３】
下記を具備する、ワイヤレス通信システム中での、担当基地局により担当されているユーザ機器の干渉管理を容易にするための装置、
非担当基地局において、前記担当基地局により担当されている前記ユーザ機器を前記非担当基地局に接続するための、ハンドオーバ要求メッセージを受信する手段と、ここにおいて前記担当基地局により担当されている前記ユーザ機器は、前記非担当基地局に接続することを許可されていない、
前記非担当基地局において、前記担当基地局により担当されている前記ユーザ機器に関する情報を取得するために、前記メッセージを処理する手段と、
前記非担当基地局において、前記情報を使用して、前記ユーザ機器に対する信号情報を決定する手段。
【請求項２４】
前記情報は、低速時間スケールの情報である請求項２３記載の装置。
【請求項２５】
前記低速時間スケールの情報は、協調情報のシグナリングにおいて提供され、協調情報はハンドオーバシグナリングである請求項２４記載の装置。
【請求項２６】
前記取得することは、
前記担当基地局が、前記装置に関する測定値報告を、前記ユーザ機器から受信し、前記担当基地局が、前記装置に前記情報を送信すること、または、
前記担当基地局により担当されているユーザ機器が、前記装置への接続を試み、前記装置が、前記情報を取得するステップを開始すること、
のうちの少なくとも１つに応答して実行される請求項２５記載の装置。
【請求項２７】
前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す請求項２６記載の装置。
【請求項２８】
前記装置に対する、制限されているアクセスのルールに起因して、前記担当基地局により担当されているユーザ機器へのアクセスを認めない手段をさらに具備する請求項２５記載の装置。
【請求項２９】
前記担当基地局により担当されているユーザ機器の干渉管理を実行する手段をさらに具備し、干渉管理は、決定された信号情報に少なくとも部分的に基づいて実行される請求項２８記載の装置。
【請求項３０】
前記非担当基地局において干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記担当基地局により担当されているユーザ機器に対して電力制御を実行すること、のうちの少なくとも１つを含む請求項２９記載の装置。
【請求項３１】
前記低速時間スケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである請求項２４記載の装置。
【請求項３２】
前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである請求項２４記載の装置。
【請求項３３】
前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む請求項３２記載の装置。
【請求項３４】
下記を具備する、ワイヤレス通信システム中での、担当基地局により担当されているユーザ機器の干渉管理を容易にするための装置、
前記担当基地局により担当されている前記ユーザ機器を非担当基地局に接続するための、ハンドオーバ要求メッセージを受信するように、ここにおいて前記担当基地局により担当されている前記ユーザ機器は、前記非担当基地局に接続することを許可されていない、
前記担当基地局により担当されている前記ユーザ機器に関する情報を取得するために、前記メッセージを処理するように、および
前記情報を使用して、前記ユーザ機器に対する信号情報を決定するように、
構成されている非担当基地局。
【請求項３５】
前記情報は、低速時間スケールの情報である請求項３４記載の装置。
【請求項３６】
前記低速時間スケールの情報は、協調情報のシグナリングにおいて提供され、協調情報はハンドオーバシグナリングである請求項３５記載の装置。
【請求項３７】
前記取得することは、前記担当基地局が、前記非担当基地局に関する測定値報告を、前記ユーザ機器から受信し、前記担当基地局が前記非担当基地局に前記情報を送信すること、または、前記担当基地局により担当されているユーザ機器が、前記非担当基地局への接続を試み、前記非担当基地局が、前記情報を取得するステップを開始すること、のうちの少なくとも１つに応答して実行される請求項３６記載の装置。
【請求項３８】
前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す請求項３７記載の装置。
【請求項３９】
前記非担当基地局は、前記非担当基地局に対する、制限されているアクセスのルールに起因して、前記担当基地局により担当されているユーザ機器へのアクセスを認めないようにさらに構成されている請求項３６記載の装置。
【請求項４０】
前記非担当基地局は、前記担当基地局により担当されているユーザ機器の干渉管理を、前記非担当基地局において実行するようにさらに構成されており、前記干渉管理は、決定された信号情報に少なくとも部分的に基づいて実行される請求項３９記載の装置。
【請求項４１】
干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記担当基地局により担当されているユーザ機器に対して電力制御を実行すること、のうちの少なくとも１つを含む請求項４０記載の装置。
【請求項４２】
前記低速時間スケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである請求項３５記載の装置。
【請求項４３】
前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである請求項３５記載の装置。
【請求項４４】
前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む請求項４３記載の装置。
【発明の詳細な説明】
【優先権の主張】
【０００１】
本出願は、２００９年３月１９日に出願され、その全内容が参照によりここに組み込まれている、“ホームノード／ｅノード基地局に対する干渉管理のためのネットワークリスン”と題する米国仮特許出願シリアル番号第６１／１６１，６４３号の利益を主張する。
【分野】
【０００２】
以下の記述は一般にワイヤレス通信に関し、特に、計画外ワイヤレス通信システムにおける干渉管理に関する。
【背景】
【０００３】
ワイヤレス通信システムは、さまざまなタイプの通信を提供するために広く展開されている。例えば、このようなワイヤレス通信システムにより、音声および／またはデータを提供できる。典型的なワイヤレス通信システムまたはネットワークは、１つ以上の共有リソース（例えば、帯域幅、送信電力）へのアクセスを複数のユーザに提供できる。例えば、システムは、周波数分割多重化（ＦＤＭ）や、時分割多重化（ＴＤＭ）や、コード分割多重化（ＣＤＭ）や、直交周波数分割多重化（ＯＦＤＭ）や、他のもののような、さまざまな多元接続技術を使用できる。
【０００４】
一般に、ワイヤレス多元接続通信システムは、同時に、複数のユーザ機器（ＵＥ）に対する通信をサポートできる。各ＵＥは、フォワードリンクおよびリバースリンク上での送信により、１つ以上の基地局（ＢＳ）と通信できる。フォワードリンク（すなわち、ダウンリンク（ＤＬ））は、ＢＳからＵＥへの通信リンクを指し、リバースリンク（すなわち、アップリンク（ＵＬ））は、ＵＥからＢＳへの通信リンクを指す。
【０００５】
従来のワイヤレス多元接続通信システムに加えて、小さなセルエリアをカバーするＢＳを用いる、新しいクラスのワイヤレス多元接続通信システムが登場している。これらのＢＳは、ユーザの自宅に取り付けることができ、屋内のワイヤレスカバレッジを、自宅にあるＵＥに、または自宅から地理的に至近距離にあるＵＥに提供できる。このような個人の小型のＢＳは、フェムトＢＳ、フェムトセル、ホームノードＢ（ＨＮＢ）、ホームｅノードＢ（ＨｅＮＢ）、またはこれらに類似するものとすることができる。
【０００６】
ＢＳは、制限されているアソシエーション、または、閉じている加入者グループ（ＣＳＧ）にしたがって動作でき、それによって、ホームＢＳの所有者は、どのＵＥをホームＢＳに関連付けることができるかを決定できる。これは、例えば、有線同等プライバシ（ＷＥＰ）／Ｗｉ−Ｆｉ保護アクセス（ＷＰＡ）キーまたは明示的媒体アクセス制御（ＭＡＣ）アドレスプロビジョニングにより、アクセスポイントの所有者がアクセスを制御することができる、８０２．１１アクセスポイントに類似している。したがって、ＢＳの地理的に至近距離にあり、ＢＳとの通信を可能にする無線リンク品質を有するＵＥが、ＢＳに関係付けられておらず、および／または、ＢＳに対する加入者グループ内にない場合、ＵＥは、そのような通信を妨げられる。それでもなお、ＵＥがアップリンク上で送信するとき、ＵＥはＢＳに対して干渉をもたらす可能性がある。同様に、ＵＥは、ＢＳがＤＬ上で、ＢＳが関連しているＵＥに送信するとき、ＢＳからの干渉をより受けやすい。したがって、干渉管理のためのシステム、装置および方法が望まれる。
【概要】
【０００７】
１つ以上の実施形態の基本的な理解を提供するために、以下の記述は、そのような実施形態の単純化した概要を与える。この概要は、考えられるすべての実施形態の広範な概観ではなく、すべての実施形態の主なまたは重要な要素を識別するようにも、いくつかのまたはすべての実施形態を詳細に描写するようにも向けられていない。その唯一の目的は、後に与えられるより詳細な説明に対するプレリュードとして、単純化した形態で１つ以上の実施形態のいくつかの概念を与えることである。
【０００８】
１つ以上の実施形態と、それらの対応する開示とにしたがって、ワイヤレス通信システム中での干渉管理に関して、さまざまな観点を記述する。
【０００９】
関連する観点にしたがって、方法を提供する。方法は、担当ＢＳにより担当されているＵＥに関する情報を取得することと、前記情報に少なくとも部分的に基づいて、信号情報を決定することとを含むことができる。
【００１０】
別の観点において、コンピュータ読み取り可能媒体を含むコンピュータプログラムプロダクトを提供する。コンピュータプログラムプロダクトは、担当ＢＳにより担当されているＵＥに関する情報をコンピュータに取得させるための第１の組のコードと、前記情報に少なくとも部分的に基づいて、信号情報をコンピュータに決定させるための第２の組のコードとを含むことができ、非担当ＢＳがコンピュータを備えている。
【００１１】
別の観点にしたがって、装置を提供する。装置は、担当ＢＳにより担当されているＵＥに関する情報を取得する手段と、前記情報に少なくとも部分的に基づいて、信号情報を決定する手段とを含むことができる。
【００１２】
別の観点にしたがって、別の装置を提供する。装置は、担当ＢＳにより担当されているＵＥに関する情報を取得することと、前記情報に少なくとも部分的に基づいて、信号情報を決定することを含むことができる。
【００１３】
別の観点において、別の方法を提供する。方法は、担当ＢＳにより担当されているＵＥに関する情報を決定することと、ＵＥに関する決定情報を用いて、非担当ＢＳにおいて干渉管理を実行することとを含むことができる。
【００１４】
別の観点において、コンピュータ読み取り可能媒体を含むコンピュータプログラムプロダクトを提供する。コンピュータプログラムプロダクトは、コンピュータ読み取り可能媒体を含むことができ、コンピュータ読み取り可能媒体は、担当ＢＳにより担当されているＵＥに関する情報をコンピュータに決定させるための第１の組のコードと、コンピュータに、ＵＥに関する決定情報を用いて、非担当ＢＳにおいて干渉管理を実行させるための第２の組のコードとを含み、非担当ＢＳは、コンピュータを備えている。
【００１５】
別の観点において、別の装置を提供する。装置は、担当ＢＳにより担当されているＵＥに関する情報を決定する手段と、ＵＥに関する決定情報を用いて、装置において干渉管理を実行する手段とを含むことができる。
【００１６】
別の観点において、別の装置を提供する。装置は、担当ＢＳにより担当されているＵＥに関する情報を決定し、ＵＥに関する決定情報を用いて、非担当ＢＳにおいて干渉管理を実行するように構成されている非担当ＢＳを備えることができる。
【００１７】
別の観点において、別の方法を提供する。方法は、ＢＳ６０４のダウンリンクサブフレームを、ＢＳ６０２のダウンリンクサブフレームに同期させ、ＢＳ６０２のダウンリンクサブフレームは、担当ＢＳから、担当ＢＳにより担当されているＵＥに送信されることと、ＢＳ６０２のダウンリンクサブフレームの１つ以上の制御チャネルシンボルをデコードし、ＢＳ６０４のダウンリンクサブフレームの１つ以上のデータチャネルシンボルのゲーティングが、デコーディングに先立って実行されることと、ＵＥに関係付けられている干渉管理を実行するための情報を決定することとを含むことができ、情報を決定することは、ＢＳ６０２のダウンリンクサブフレームの１つ以上のシンボルをデコードすることに少なくとも部分的に基づいている。
【００１８】
別の観点において、コンピュータ読み取り可能媒体を含むコンピュータプログラムプロダクトを提供する。コンピュータプログラムプロダクトは、コンピュータ読み取り可能媒体を含むことができ、コンピュータ読み取り可能媒体は、コンピュータに、ＢＳ６０４のダウンリンクサブフレームを、担当ＢＳから、担当ＢＳにより担当されているＵＥに送信される、ＢＳ６０２のダウンリンクサブフレームに同期させるための第１の組のコードと、コンピュータに、ＢＳ６０２のダウンリンクサブフレームの１つ以上の制御チャネルシンボルをデコードさせるための第２の組のコードと、コンピュータに、ＵＥに関係付けられている干渉管理を実行するための情報を決定させるための第３の組のコードとを含み、ＢＳ６０４のダウンリンクサブフレームの１つ以上のデータチャネルシンボルのゲーティングが、デコーディングに先立って実行され、情報を決定することは、ＢＳ６０２のダウンリンクサブフレームの１つ以上のシンボルをデコードすることに少なくとも部分的に基づいている。
【００１９】
別の観点において、別の装置を提供する。装置は、ＢＳ６０４のダウンリンクサブフレームを、ＢＳ６０２のダウンリンクサブフレームに同期させる手段であって、ＢＳ６０２のダウンリンクサブフレームは、担当ＢＳから、担当ＢＳにより担当されているＵＥに送信される手段と、ＢＳ６０２のダウンリンクサブフレームの１つ以上の制御チャネルシンボルをデコードする手段であって、ＢＳ６０４のダウンリンクサブフレームの１つ以上のデータチャネルシンボルのゲーティングが、デコーディングに先立って実行される手段と、ＵＥに関係付けられている干渉管理を実行するための情報を決定する手段であって、情報を決定することは、ＢＳ６０２のダウンリンクサブフレームの１つ以上のシンボルをデコードすることに少なくとも部分的に基づいている手段とを備えることができる。
【００２０】
別の観点において、別の装置を提供する。装置は、ＢＳ６０４のダウンリンクサブフレームを、ＢＳ６０２のダウンリンクサブフレームに同期させ、ＢＳ６０２のダウンリンクサブフレームの１つ以上の制御チャネルシンボルをデコードし、ＵＥに関係付けられている干渉管理を実行するための情報を決定するように構成されている非担当ＢＳを含むことができ、ＢＳ６０２のダウンリンクサブフレームは、担当ＢＳから、担当ＢＳにより担当されているＵＥに送信され、ＢＳ６０４のダウンリンクサブフレームの１つ以上のデータチャネルシンボルのゲーティングが、デコーディングに先立って実行され、情報を決定することは、ＢＳ６０２のダウンリンクサブフレームの１つ以上のシンボルをデコードすることに少なくとも部分的に基づいている。
【００２１】
先のおよび関連する目的を達成するために、１つ以上の実施形態は、以下で十分に記述し、特に特許請求の範囲において示す特徴を備えている。以下の記述および添付図面は、１つ以上の実施形態のいくつかの例示的な観点を詳細に示す。これらの観点は、さまざまな実施形態の原理を用いることができるさまざまな方法のうちのほんのいくつかを表すにすぎず、記述する実施形態は、このようなすべての観点およびそれらの均等物を含むように向けられている。
【図面の簡単な説明】
【００２２】
【図１】図１は、ここで示すさまざまな観点にしたがった、例示的なワイヤレス通信の実例である。
【図２】図２は、ここで示すさまざまな観点にしたがった、別の例示的なワイヤレス通信システムの実例である。
【図３】図３は、ここで示すさまざまな観点にしたがった、１つ以上のフェムトノードが配備される例示的なワイヤレス通信システムの実例である。
【図４】図４は、ここで示すさまざまな観点にしたがった、ワイヤレス通信システムにおける例示的なカバレッジマップの実例である。
【図５】図５は、ここで示すさまざまな観点にしたがった、干渉管理を容易にするワイヤレス通信システムの例示的なブロック図の実例である。
【図６Ａ】図６Ａは、ここで示すさまざまな観点にしたがった、干渉管理を容易にするワイヤレス通信システムの例示的なブロック図の実例である。
【図６Ｂ】図６Ｂは、ここで示すさまざまな観点にしたがった、干渉管理を容易にするための方法のフローチャートの実例である。
【図７】図７は、ここで示すさまざまな観点にしたがった、干渉管理を容易にする例示的なダウンリンクおよびアップリンクのタイムラインを図示する。
【図８Ａ】図８Ａは、ここで示すさまざまな観点にしたがった、干渉管理を容易にするための方法のフローチャートの実例である。
【図８Ｂ】図８Ｂは、ここで示すさまざまな観点にしたがった、干渉管理を容易にするための方法のフローチャートの実例である。
【図９】図９は、ここで示すさまざまな観点にしたがった、干渉管理を容易にする、標準および拡張サイクリックプレフィックスに対する例示的なサブフレーム構造のブロック図である。
【図１０】図１０は、ここで示すさまざまな観点にしたがった、干渉管理を容易にするための方法のフローチャートの実例である。
【図１１】図１１は、ここで示すさまざまな観点にしたがった、干渉管理を容易にするための方法のフローチャートの実例である。
【図１２】図１２は、ここで示すさまざまな観点にしたがった、干渉管理を容易にするための方法のフローチャートの実例である。
【図１３】図１３は、ここで示すさまざまな観点にしたがった、干渉管理を容易にする例示的なシステムのブロック図の実例である。
【図１４】図１４は、ここで示すさまざまな観点にしたがった、干渉管理を容易にする例示的なシステムのブロック図の実例である。
【図１５】図１５は、ここで示すさまざまな観点にしたがった、干渉管理を容易にする例示的なシステムのブロック図の実例である。
【図１６】図１６は、ここで示すさまざまな観点にしたがった、干渉管理を容易にする例示的なシステムのブロック図の実例である。
【図１７】図１７は、ここで示すさまざまな観点にしたがった、干渉管理を容易にする例示的なシステムのブロック図の実例である。
【図１８】図１８は、ここで示すさまざまな観点にしたがった、干渉管理を容易にする例示的なシステムのブロック図の実例である。
【図１９】図１９は、ここで示すさまざまな観点にしたがった、ここで記述する実施形態を用いることができる例示的なワイヤレス通信システムを示す。
【詳細な説明】
【００２３】
図面に関連して、さまざまな実施形態をこれから記述し、全体を通して同じ要素に言及するために、同じ参照番号を使用する。以下の記述において、説明のため、１つ以上の実施形態の完全な理解を提供するために、多数の特定の詳細な説明を述べる。しかしながら、これらの特定の詳細な説明なしに、そのような実施形態を実施できることは明白であるかもしれない。他の例において、１つ以上の実施形態を記述することを容易にするために、よく知られている構造およびデバイスをブロック図の形態で示す。
【００２４】
本出願中で使用されるような、用語“コンポーネント”、“モジュール”、“システム”、およびこれらに類似するものは、コンピュータ関連エンティティ、ハードウェア、ファームウェア、ハードウェアとソフトウェアとの組み合わせ、ソフトウェアまたは実行中のソフトウェアを指すように意図されている。例えば、コンポーネントはプロセッサ上で実行するプロセス、プロセッサ、オブジェクト、実行ファイル、実行のスレッド、プログラム、および／またはコンピュータであってもよいが、それだけに限られない。実例として、計算デバイス上で実行するアプリケーションと計算デバイスとの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。また、これらのコンポーネントは、記憶したさまざまなデータ構造を有するさまざまなコンピュータ読み取り可能媒体から実行できる。コンポーネントは、１つ以上のデータパケット（例えば、ローカルシステム中の、分散システム中の別のコンポーネントと相互に対話する、および／またはインターネットのようなネットワークを通して、信号により他のシステムと相互に対話する、１つのコンポーネントからのデータ）を有する信号にしたがうような、ローカルおよび／またはリモートプロセスを通して通信できる。
【００２５】
ここで記述する技術は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および／または他のシステムのような、さまざまなワイヤレス通信システムに対して使用できる。用語“システム”および“ネットワーク”は、区別なく使用されることが多い。ＣＤＭＡシステムは、ユニバーサル地上無線アクセス（ＵＴＲＡ）や、ＣＤＭＡ８０２０などのような無線技術を実現できる。ＵＴＲＡは、広帯域ＣＤＭＡ（ＷＣＤＭＡ）と、ＣＤＭＡの他の変形体とを含む。ＣＤＭＡ８０２０は、暫定標準８０２０（ＩＳ−８０２０）、暫定標準９５（ＩＳ−９５）および暫定標準８５６（ＩＳ−８５６）をカバーする。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するＵＭＴＳのこれから出てくるリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥおよびＧＳＭ（登録商標）は、“第３世代パートナーシップ・プロジェクト”（３ＧＰＰ）と名付けられた組織からの文書で説明されている。さらに、ＣＤＭＡ８０２０およびＵＭＢは、“第３世代パートナーシップ・プロジェクト２”（３ＧＰＰ２）と名付けられた組織からの文書で説明されている。さらに、そのようなワイヤレス通信システムは、追加として、対になっていない、無免許のスペクトルを使用することが多い、ピアツーピア（例えば、移動―移動）アドホックネットワークシステムと、８０２．ｘｘワイヤレスローカルエリアネットワーク（ワイヤレスＬＡＮ）と、ブルートゥース（登録商標）と、他の任意の短距離または長距離のワイヤレス通信技術とを含むことができる。
【００２６】
ＳＣ−ＦＤＭＡは、単一搬送波変調と周波数領域の等化とを利用する。ＳＣ−ＦＤＭＡは、ＯＦＤＭＡシステムと同様の性能と、基本的に同じ全体的な複雑さを有し得る。ＳＣ−ＦＤＭＡ信号は、その固有の単一搬送波構造のため、より低いピーク対平均電力比（ＰＡＰＲ）を有することができる。ＳＣ−ＦＤＭＡは、例えば、より低いＰＡＰＲが送信電力効率の観点から大いにＵＥのためになるＵＬ通信中で使用できる。したがって、ＳＣ−ＦＤＭＡは、３ＧＰＰロングタームエボリューション（ＬＴＥ）または進化型ＵＴＲＡにおけるＵＬ多元接続スキームとして実現される。
【００２７】
さらに、ＵＥに関連して、さまざまな実施形態をここで記述する。ＵＥは、システム、加入者ユニット、加入者局、移動局、移動、リモート局、リモート端末、移動デバイス、アクセス端末、ワイヤレス通信デバイス、ユーザエージェントまたはユーザデバイスと呼ばれることもある。ＵＥは、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、計算デバイス、またはワイヤレスモデムに接続される他の処理デバイスとすることができる。さらにＢＳまたはアクセスノード（ＡＮ）に関連して、さまざまな実施形態をここで記述する。ＢＳは、ＵＥと通信するために利用でき、アクセスポイント、ＢＳ、フェムトノード、ピコノード、ノードＢ、進化型ノードＢ（ｅノードＢ、ｅＮＢ）または他のいくつかの専門用語で呼ばれることもある。
【００２８】
さらに、用語“または”は、排他的な“または”ではなく、包括的な“または”を意味するように向けられている。すなわち、特に指定しない限り、または、文脈から明らかでない限り、句“ＸはＡまたはＢを用いる”は、自然の包括的順列のいずれかを意味するように向けられている。すなわち、句“ＸはＡまたはＢを用いる”は、次の場合のいずれかにより満たされる：ＸがＡを用いる；ＸがＢを用いる；または、ＸがＡおよびＢの両方を用いる。さらに、本明細書および特許請求の範囲において使用されるとき、冠詞“１つ”は一般的に、特に指定しない限り、または、単数の形態向けられていることが文脈から明らかでない限り、“１つ以上の”を意味するように解釈すべきである。
【００２９】
標準プログラミングおよび／または工学技術を使用する方法、装置、または製造品として、ここで記述するさまざまな観点または特徴を実現できる。ここで使用する用語“製造品”は、任意のコンピュータ読み取り可能デバイス、キャリア、または媒体からアクセス可能なコンピュータプログラムを含むように意図されている。例えば、コンピュータ読み取り可能媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）、スマートカード、およびフラッシュメモリデバイス（例えば、消去可能プログラマブル読み出し専用メモリ（ＥＰＲＯＭ）、カード、スティック、キードライブなど）を含むことができるが、それらに限定されない。さらに、ここで記述するさまざまな記憶媒体は、情報を記憶するための１つ以上のデバイスおよび／または他の機械読み取り可能媒体を表すことができる。用語“機械読み取り可能媒体”は、コードおよび／または命令および／またはデータを記憶し、含み、および／または搬送することができるワイヤレスチャネルおよびさまざまな他の媒体（および／または記憶媒体）を含むことができるが、それらに限定されない。
【００３０】
いくつかの観点において、ここでの教示は、マクロスケールのカバレッジ（例えば、一般に、マクロセルネットワークと呼ばれる、３Ｇネットワークのような大きなエリアのセルラネットワーク）と、より小さいスケールのカバレッジ（例えば、住居ベースの、または、建物ベースのネットワーク環境）とを含むネットワーク中で用いてもよい。ＵＥは、そのようなネットワーク中を移動する。ＵＥは、マクロカバレッジを提供するＢＳによって、いくつかの場所において担当されてもよく、一方、ＵＥは、より小さいスケールのカバレッジを提供するＢＳによって、他の場所において担当されてもよい。いくつかの観点において、より小さいカバレッジのノードを使用して、インクリメントな容量増加と、室内のカバレッジと、（例えば、よりロバストなユーザ体験に対して）異なるサービスとを提供してもよい。ここでの記述において、比較的大きなエリアに対してカバレッジを提供するノードをマクロノードと呼ぶことがある。比較的小さいエリア（例えば、住居）に対してカバレッジを提供するノードをフェムトノードと呼ぶことがある。マクロエリアよりも小さく、かつ、フェムトエリアよりも大きいエリアに対してカバレッジを提供するノードをピコノードと呼ぶことがある（例えば、商用の建物内でカバレッジを提供する）。
【００３１】
マクロノード、フェムトノードまたはピコノードに関係付けられているセルは、それぞれ、マクロセル、フェムトセルまたはピコセルと呼ばれることがある。いくつかの構成において、各セルは、１つ以上のセクタにさらに関係付けられて（例えば、分割されて）いてもよい。
【００３２】
さまざまな適用において、他の専門用語を使用して、マクロノード、フェムトノードまたはピコノードを参照してもよい。例えば、マクロノードは、ＢＳ、アクセスポイント、ｅノードＢ、マクロセルなどとして構成されていてもよく、または、それらの用語で呼ばれてもよい。また、フェムトノードは、ホームノードＢ、ホームｅノードＢ、アクセスポイントアクセスノード、ＢＳ、フェムトセルなどとして構成されていてもよく、または、それらの用語で呼ばれてもよい。
【００３３】
図１は、ここで示すさまざまな観点にしたがった、例示的なワイヤレス通信システムの実例である。ワイヤレス通信システム１００において、ＵＬ上での送信によりもたらされる干渉を、ＢＳ１０２により管理できる。
【００３４】
これから図１を参照すると、ワイヤレス通信システム１００が、ここで与えられるさまざまな実施形態にしたがって図示されている。ワイヤレス通信システム１００は、複数のアンテナグループを含むことができるＢＳ１０２を備えている。例えば、１つのアンテナグループがアンテナ１０４、１０６を含むことができ、別のグループがアンテナ１０８、１１０を含むことができ、さらなるグループがアンテナ１１２、１１４を含むことができる。２つのアンテナが各アンテナグループに対して図示されているが、より多い、または、より少ないアンテナを各グループに対して利用できる。ＢＳ１０２はさらに、送信ノードチェーンおよび受信ノードチェーンを含むことができ、当業者によって理解されるように、送信ノードチェーンおよび受信ノードチェーンのそれぞれは、信号の送信および受信に関係する複数のコンポーネント（例えば、プロセッサ、変調器、マルチプレクサ、復調器、デマルチプレクサ、アンテナ）を備えることができる。
【００３５】
ＢＳ１０２は、ＵＥ１１６、１２２のような１つ以上のＵＥと通信できる。しかしながら、ＢＳ１０２は、実質的に、ＵＥ１１６、１２２に類似する任意の数のＵＥと通信できることを理解すべきである。ＵＥ１１６、１２２は、例えば、セルラ電話機、スマート電話機、ラップトップ、ハンドヘルド通信デバイス、ハンドヘルド計算デバイス、衛星ラジオ、全地球測位システム、ＰＤＡ、および／またはワイヤレス通信システム１００によって通信するための他の任意の適切なデバイスとすることができる。描写したように、ＵＥ１１６は、アンテナ１１２、１１４と通信しており、ここでアンテナ１１２、１１４は、ＤＬ１１８によってＵＥ１１６に情報を送信し、ＵＬ１２０によってＵＥ１１６から情報を受信する。さらに、ＵＥ１２２は、アンテナ１０４、１０６と通信しており、ここでアンテナ１０４、１０６は、ＤＬ１２４によってＵＥ１２２に情報を送信し、ＵＬ１２６によってＵＥ１２２から情報を受信する。例えば、周波数分割複信（ＦＤＤ）システムにおいて、ＤＬ１１８は、ＵＬ１２０により使用されるものとは異なる周波数帯域を利用でき、ＤＬ１２４は、ＵＬ１２６により用いられるものとは異なる周波数帯域を用いることができる。さらに、時分割複信（ＴＤＤ）システムにおいて、ＤＬ１１８およびＵＬ１２０は、共通の周波数帯域を利用でき、ＤＬ１２４およびＵＬ１２６は、共通の周波数帯域を利用できる。
【００３６】
通信するために指定されている、アンテナの各グループ、および／またはエリアは、ＢＳ１０２のセクタと呼ばれることがある。例えば、アンテナのグループは、ＢＳ１０２によってカバーされるエリアのセクタにおけるＵＥに伝達するように設計できる。ＤＬ１１８、１２４に対する通信において、ＢＳ１０２の送信アンテナはビームフォーミングを利用して、ＵＥ１１６、１２２に対するＤＬ１１８、１２４の信号対雑音比を向上させることができる。さらに、ＢＳ１０２がビームフォーミングを利用して、関連したカバレッジを通してランダムに分散されているＵＥ１１６、１２２に送信する間に、近隣セルにおけるＵＥ１１６、１２２は、単一のアンテナによってすべてのＵＥに送信するＢＳと比較して、より少ない干渉を受け得る。
【００３７】
図２は、ここで示すさまざまな観点にしたがった、別の例示的なワイヤレス通信システムの実例である。ワイヤレス通信システム２００は、例えば、マクロセル２０２ａないし２０２ｇのような複数のセルに対して通信を提供し、各セルは、対応する対応するＢＳ（例えば、ＢＳ２０４ａないし２０４ｇ）により担当されている。図２中で示すように、ＵＥ（例えば、ＵＥ２０６ａないし２０６ｌ）は、時間と共にシステム全体にわたってさまざまな場所に分散できる。ＵＥ２０６のそれぞれは、所定の瞬間において、ＤＬまたはＵＬ上で、１つ以上のＢＳ２０４ａないし２０４ｇと通信でき、そのことは、例えば、ＵＥ２０６がアクティブであるかどうか、また、それがハンドオーバ中であるかどうかに依存する。ワイヤレス通信システム２００は、大きな地理的領域に対してサービスを提供してもよい。例えば、マクロセル２０２ａないし２０２ｇは、近隣におけるいくつかのブロックをカバーしてもよい。
【００３８】
図３は、ここで示すさまざまな観点にしたがった、１つ以上のフェムトノードが配備されている例示的なワイヤレス通信システムの実例である。特に、ワイヤレス通信システム３００は、比較的小さいスケールのネットワーク環境中に（例えば、１以上の、ユーザの住居３３０中に）インストールされている複数のフェムトノード（例えば、フェムトノード３１０Ａおよび３１０Ｂ）を含む。フェムトノード３１０Ａ、３１０Ｂのうちの１つ以上は、（示していない）デジタル加入者回線（ＤＳＬ）ルータ、ケーブルモデム、ワイヤレスリンク、または、他の接続手段により、ワイドエリアネットワーク３４０（例えば、インターネット）および移動オペレータコアネットワーク３５０に結合できる。以下で記述するように、フェムトノード３１０Ａ、３１０Ｂは、関連するＵＥ（例えば、ＵＥ３２０Ａ）と、オプションとして、エイリアンＵＥ（例えば、ＵＥ３２０Ｂ）とを担当するように構成できる。例えば、１つ以上のフェムトノード３１０Ａ、３１０Ｂへのアクセスを制限してもよく、それによって、ＵＥ３２０Ａ、３２０Ｂのうちの１つを、ＵＥ３２０Ａ、３２０Ｂに対して指定されている１つ以上のフェムトノード３１０Ａ、３１０Ｂ（例えば、ホームフェムトノード）により担当できるが、ＵＥ３２０Ａ、３２０Ｂに対して指定されていない何らかのフェムトノード３１０Ａ、３１０Ｂ（例えば、近隣のフェムトノード）により担当できない。
【００３９】
しかしながら、さまざまな実施形態において、関連しているＵＥ３２０Ａは、エイリアンＵＥ３２０Ｂを担当しているフェムトノード３１０ＡからＤＬ上で干渉を経験し得る。同様に、関連しているＵＥ３２０Ａに関係付けられているフェムトノード３１０Ｂは、エイリアンＵＥ３２０ＢからＵＬ上で干渉を経験する可能性がある。実施形態において、ここで記述するように、ワイヤレス通信システム３００中での干渉管理を容易にできる。
【００４０】
図４は、ここで示すさまざまな観点にしたがった、分散型スケジューリングを容易にするスケジューリングポリシーの構成を提供する、ワイヤレス通信システムにおける例示的なカバレッジマップの実例である。カバレッジマップ４００は、トラッキングエリア４０２Ａ、４０２Ｂ、４０２Ｃ（あるいは、ルーティングエリアまたはロケーションエリア）を含むことができ、トラッキングエリアのそれぞれは、いくつかのマクロカバレッジエリアを含むことができる。示した実施形態において、トラッキングエリア４０２Ａ、４０２Ｂ、４０２Ｃに関係付けられているカバレッジのエリアは、幅の広い線で描かれており、マクロカバレッジエリア４０４Ａ、４０４Ｂは、六角形により表されている。トラッキングエリア４０２Ａ、４０２Ｂ、４０２Ｃは、フェムトカバレッジエリア４０６Ａ、４０６Ｂ、４０６Ｃを含むことができる。この例において、フェムトカバレッジエリア４０６Ａ、４０６Ｂ、４０６Ｃのそれぞれは、マクロカバレッジエリア４０４Ａ、４０４Ｂ、４０４Ｃ内で描写されている。しかしながら、フェムトカバレッジエリア４０６Ａ、４０６Ｂ、４０６Ｃは、マクロカバレッジエリア４０４Ａ、４０４Ｂ、４０４Ｃ内に完全に位置していなくてもよいことを理解すべきである。実際には、非常に多くのフェムトカバレッジエリア４０６Ａ、４０６Ｂ、４０６Ｃを、所定のトラッキングエリア４０２Ａ、４０２Ｂ、４０２Ｃまたはマクロカバレッジエリア４０４Ａ、４０４Ｂとともに規定できる。また、（示していない）１つ以上のピコカバレッジエリアを、トラッキングエリア４０２Ａ、４０２Ｂ、４０２Ｃまたはマクロカバレッジエリア４０４Ａ、４０４Ｂ、４０４Ｃ内で規定できる。
【００４１】
図３を再度参照すると、フェムトノード３１０Ａの所有者は、例えば、移動オペレータコアネットワーク３５０を通して提供される３Ｇ移動サービスのような移動サービスに加入できる。さらに、ＵＥ３２０は、マクロ環境と、より小さいスケールの（例えば、住宅の）ネットワーク環境との両方において動作可能であってもよい。言い換えれば、ＵＥ３２０の現在の位置次第で、ＵＥ３２０は、移動オペレータコアネットワーク３５０のマクロセルアクセスノード３６０により、または、１組のフェムトノード３１０（例えば、対応するユーザ住居１３３０内に存在するフェムトノード３１０Ａおよび３１０Ｂ）のうちのいずれか１つにより、担当されてもよい。例えば、加入者が自宅外にいるとき、彼は、標準的なマクロセルアクセスノード３６０により担当されてもよく、加入者が自宅にいるとき、彼は、フェムトノード３１０Ａにより担当されてもよい。ここで、フェムトノード１３１０は、フェムトノード３１０の製造および／または設計の時に存在しているＵＥ３２０と下位互換性があってもよいことを理解すべきである。
【００４２】
フェムトノード３１０は、単一の周波数上で、または、代わりに、複数の周波数上で実施されてもよい。特定の構成次第で、単一の周波数、または、複数の周波数のうちの１つ以上が、マクロセルアクセスノード３６０により使用される１つ以上の周波数とオーバーラップする可能性がある。
【００４３】
いくつかの観点において、ＵＥ３２０は、優先フェムトノード（例えば、ＵＥ３２０のホームフェムトノード）への接続が可能であるときはいつでも、優先フェムトノードに接続するように構成できる。例えば、ＵＥ３２０が、ユーザの住居３３０内にあるときはいつでも、ＵＥ３２０は、ユーザの住居中のフェムトノード３１０とだけ通信することが望まれるかもしれない。
【００４４】
いくつかの観点において、ＵＥ３２０が、移動オペレータコアネットワーク３５０内で動作するが、（例えば、優先ローミングリスト中で規定されているような）最優先のネットワーク上に存在していない場合、ＵＥ３２０は、ベターシステムリセレクション（ＢＳＲ）を使用して、最優先ネットワーク（例えば、優先フェムトノード３１０）に対するサーチを継続してもよい。ＢＳＲは、より良いシステムが現在利用可能であるかどうかを決定するための、利用可能なシステムの定期的なスキャンと、そのような優先システムに関連させる後の活動とを伴うことができる。獲得エントリにより、ＵＥ３２０は、特定の帯域およびチャネルに対してサーチを制限してもよい。例えば、最優先システムに対するサーチを定期的に繰り返してもよい。優先フェムトノード３１０を発見すると、ＵＥ３２０は、そのカバレッジエリア内にキャンプするためにフェムトノード３１０を選択する。
【００４５】
フェムトノードは、いくつかの観点において制限されていてもよい。例えば、所定のフェムトノードは、いくつかのＵＥに対して、いくつかのサービスを提供するだけでもよい。いわゆる制限されている（または閉じている）アソシエーションを有する展開において、所定のＵＥだけが、マクロセル移動ネットワークと、規定されている１組のフェムトノード（例えば、対応するユーザ住居３３０内に存在するフェムトノード３１０）とにより担当されてもよい。いくつかの構成において、ノードは、少なくとも１つのノードに対して、シグナリング、データアクセス、登録、ページングまたはサービスのうちの少なくとも１つを提供しないように制限されていてもよい。
【００４６】
いくつかの観点において、（ＣＳＧホームノードＢと呼ばれてもよい）制限されているフェムトノードは、制限付きで設定された１組のＵＥにサービスを提供するフェムトノードである。この設定は、必要に応じて、一時的に、または永久に拡張されてもよい。領域中のすべてのフェムトノード（または、制限されているすべてのフェムトノード）が動作するチャネルは、フェムトチャネルと呼ばれることがある。
【００４７】
したがって、さまざまな関係が、所定のフェムトノードと、所定のＵＥとの間に存在してもよい。例えば、ＵＥの見地から、開いたフェムトノードは、制限されていないアソシエーションを有するフェムトノードを指してもよい。制限されているフェムトノードは、何らかの方法で制限されている（例えば、アソシエーションおよび／または登録に対して制限されている）フェムトノードを指してもよい。ホームフェムトノードは、ＵＥがアクセスして動作する権限があるフェムトノードを指してもよい。ゲストフェムトノードは、ＵＥが一時的にアクセスまたは動作する権限があるフェムトノードを指してもよい。エイリアンフェムトノードは、おそらく緊急の状況（例えば、９１１コール）を除いて、ＵＥがアクセスまたは動作する権限のないフェムトノードを指してもよい。
【００４８】
制限されているフェムトノードの見地から、ホームＵＥは、制限されているフェムトノードにアクセスする権限があるＵＥを指してもよい。ゲストＵＥは、制限されているフェムトノードへの一時的なアクセスを有するＵＥを指してもよい。エイリアンＵＥは、例えば、９１１コールのような、おそらく緊急の状況を除いて、制限されているフェムトノードにアクセスする許可をもたないＵＥ（例えば、制限されているフェムトノードに登録する資格または許可をもたないＵＥ）を指してもよい。
【００４９】
フェムトノードに関して、図４の記述を提供しているが、ピコノードが、より大きなカバレッジエリアに対して、同じまたは類似の機能性を提供してもよいことを理解すべきである。例えば、ピコノードは制限されていてもよく、ホームピコノードは、所定のＵＥに対して規定されていてもよい、などである。
【００５０】
図５は、ここで示すさまざまな観点にしたがった、干渉管理を容易にするワイヤレス通信システムの例示的なブロック図の実例である。
【００５１】
ワイヤレス通信システム５００は、ワイヤレス通信システム５００のそれぞれのセル中に１つ以上のＢＳ５０２、５０３を含むことができ、少なくとも１つのＢＳは、ここで記述するネットワークリスニングおよび／または干渉管理方法のうちの１つ以上を実行するように構成されている。いくつかの実施形態において、ＢＳ５０２、５０３のうちの１つ以上は、フェムトアクセスノードにより管理されるフェムトセルにおいて、ＵＥに対して、およびＵＥから通信を提供するように構成されているフェムトアクセスノードとすることができる。例えば、フェムトアクセスノードは、フェムトノードＢとすることができる。一例として、限定ではないが、さまざまな実施形態において、フェムトノードＢは、ＵＭＴＳ ＨＮＢまたはＬＴＥ ＨｅＮＢとすることができる。
【００５２】
いくつかの実施形態において、ＢＳ５０２、５０３は、１つ以上の異なるフェムトセルに位置しているＢＳとすることができる。干渉管理モジュール５１２、５１９は、ここで記述する１つ以上のネットワークリスニング方法および／または干渉管理方法をＢＳ５０２、５０３に実行させることができる。１つ以上の実施形態において、以下でより詳細に記述する干渉管理は、限定ではないが、干渉回避と、電力制御と、ソフトシンボルの除去と、コンステレーションポイントにマッピングされたシンボルの除去と、（デコードおよび除去することを含むことができる）完全な除去と、高度に干渉されたシンボルを消去として扱うことと、他の任意の干渉緩和技術とを含むことができる。
【００５３】
ＢＳ５０２、５０３は、プロセッサ５１４、５２１を含むことができる。プロセッサ５２１、５１４は、システム、方法、装置、および／または、コンピュータプログラムプロダクトのいずれかに関してここで記述するネットワークリスニング機能および／または干渉管理機能のうちの１つ以上を実行するように構成できる。さまざまな実施形態において、プロセッサ５２１、５１４は、ハードウェアおよび／またはソフトウェアとして実現できる。
【００５４】
ＢＳ５０２、５０３は、メモリ５２３、５１６を含むことができる。メモリ５２３、５１６は、システム、方法、装置、および／または、コンピュータプログラムプロダクトのいずれかに関してここで記述する機能を実行するための、コンピュータ実行可能命令および／または情報を記憶するためのものとすることができる。
【００５５】
ＢＳ５０２、５０３は、トランシーバ５１０、５３０を含むことができる。トランシーバ５１０、５３０は、シグナリング情報、設定情報、制御情報、データ、ならびに／あるいは、ここで記述する干渉管理に対してネットワークリスニングを用いるために発生される、または受信される他の任意の情報を、送信および／または受信するように構成できる。
【００５６】
ワイヤレス通信システム５００はまた、ワイヤレス通信システム５００のそれぞれのセル中に１つ以上のＵＥ５０８、５０６を含むことができる。１つ以上のＵＥ５０８、５０６のうちの少なくとも１つは、ＵＥが関連していないが、ＵＥが干渉をもたらすＢＳのフェムトセルの近くに位置する可能性がある。例えば、ＵＥ５０８は、ＢＳ５０２の地理的に近接内に位置することができる。ＵＥ５０８は、ＢＳ５０３により担当されることができるが、ＵＥ５０８がＢＳ５０２の地理的に近接にあるとき、ＢＳ５０２に対して干渉をもたらす可能性がある。そのため、ＢＳ５０２は、ＵＥ５０８によりもたらされる干渉の管理を容易にするネットワークリスニング方法を用いることができる。
【００５７】
さまざまな実施形態において、ＵＥ５０８、５０６は、ＵＭＴＳ ＨＮＢまたはＬＴＥ ＨｅＮＢにより担当されるＵＥ、ならびに／あるいは、ＵＭＴＳまたはＬＴＥシステム中のＵＥ５０８、５０６とすることができる。
【００５８】
ＵＥ５０８、５０６は、プロセッサ５２２、５１５を含むことができる。プロセッサ５２２、５１５は、協調情報のシグナリングならびに／あるいはデータまたは制御情報の処理、送信および／または受信を実行するように構成できる。さまざまな実施形態において、協調情報のシグナリングは、ハンドオーバの目的に対して、および、ハンドオーバ以外の他の多数の目的に対して使用できる。さまざまな実施形態において、協調シグナリングは、限定ではないが、ハンドオーバシグナリング、または、ＢＳ５０２、５０３間の通信を調整するための任意のタイプのシグナリングを含むことができる。一般に、ここで記述するシステム、方法、装置および／またはコンピュータプログラムプロダクトは、ネットワークリスニングおよび／または干渉管理を用いることができる。
【００５９】
ＵＥ５０８、５０６は、メモリ５２４、５１７を含むことができる。メモリ５２４、５１７は、システム、方法、装置、および／または、コンピュータプログラムプロダクトのいずれかに関してここで記述する機能を実行するための、コンピュータ実行可能命令および／または情報を記憶するためのものとすることができる。
【００６０】
ＵＥ５０８、５０６は、トランシーバ５１８、５１１を含むことができる。トランシーバ５１８、５１１は、限定ではないが、ハンドオーバシグナリング、ならびに／あるいは、多数の他のタイプのデータまたは制御情報を含む、協調情報のシグナリングを送信および／または受信するように構成できる。
【００６１】
図６Ａは、ワイヤレスネットワーク中での干渉管理を容易にする例示的なシステムの別のブロック図を図示する。ＢＳ６０２および６０４は、ＵＥ６０６（または、他のワイヤレスデバイス）と通信して、それに対してネットワークアクセスを提供できる。１つの例において、ＵＥ６０６は、ＢＳ６０２からワイヤレスネットワークアクセスを受信でき、ＢＳ６０４は、ＵＥ６０６によりアクセスできない、制限されたアソシエーションＢＳとすることができる。ＢＳ６０２は、ＢＳ測定値を受信できる測定値受信モジュール６０８と、測定値に少なくとも部分的に基づいて、協調情報のシグナリングをＢＳに送信できる協調情報シグナリングモジュール６１０とを含むことができる。ＵＥ６０６は、ＢＳの測定を行うことができるＢＳ測定モジュール６１２を備えることができる。
【００６２】
ＢＳ６０４は、１つ以上のＢＳまたは関連するデバイスから協調情報のシグナリングを取得できる、協調情報シグナリング受信モジュール６１４と、ＢＳ６０２およびＵＥ６０６間の送信をＢＳ６０４がリスンすることを可能にするために、ＢＳ６０４から送信される１つ以上のシンボルをゲートできるシンボルゲートモジュール６１６とを備えることができる。ＢＳ６０４は、例えば、ＵＥ６０６に関係付けられているＵＬ割り当てに関連した情報をリスンおよび／または決定できる。ＢＳ６０４はまた、以下でより詳細に記述するように、干渉管理を実行するために、ＵＥ６０６に関する情報を受信、取得または導出できる、高速時間スケールの情報モジュール６１８と、低速時間スケールの情報モジュール６２２とを含むことができる。ＢＳ６０４はまた、干渉を除去または回避し、あるいは、ＵＥ６０６からの干渉の影響を緩和するための、任意の数の他の受信技術または他の技術を実行できる、干渉管理モジュール６２０を含むことができる。
【００６３】
１つの例において、ＢＳ測定モジュール６１２は、ＢＳ６０４から送信された情報を測定して、例えば、信号強度、または、他の測定値を決定できる。ＵＥ６０６は、測定受信モジュール６０８により受信できる測定値をＢＳ６０２に送信できる。測定値に基づいて、協調情報シグナリングモジュール６１０は、協調情報のシグナリングをＢＳ６０４に送信するかどうかを決定できる。
【００６４】
協調情報のシグナリングは、ＵＥ６０６に関連した１つ以上のパラメータ（例えば、低速時間スケールの情報）を含むことができる。例えば、ＵＭＴＳシステムにおいて、低速時間スケールの情報は、限定ではないが、ＵＥ６０６により使用されるスクランブリングコード、および／または、ＵＬチャネル（例えば、ＵＬ専用物理チャネル（ＤＰＣＨ）、拡張専用物理チャネル（Ｅ−ＤＰＣＨ））のコンフィギュレーションを含むことができる。別の例として、ＬＴＥシステムに対して、低速時間スケールの情報は、セル無線ネットワーク一時識別子（Ｃ−ＲＮＴＩ）、パーシステント割り当て情報（例えば、リソースブロック（ＲＢ）、周期性変調、コードレートおよび／またはホッピング）、および／または、（例えば、物理アップリンク制御チャネル（ＰＵＣＣＨ）、物理アップリンク共有チャネル（ＰＵＳＣＨ）、サウンディング基準信号（ＳＲＳ）に対する）物理チャネルコンフィギュレーション情報を含むことができる。いくつかの実施形態において、Ｃ−ＲＮＴＩは、ＢＳ６０２によりＵＥ６０６に割り当てられる１６ビットの識別子とすることができる。協調情報シグナリング受信モジュール６１４および／または低速時間スケールの情報モジュール６２２は、ＢＳ６０２から協調情報のシグナリングを取得して、低速時間スケールの情報を決定できる。
【００６５】
いくつかの実施形態において、低速時間スケールの情報の交換は、既存の測定値、測定報告、ならびに／あるいは、既存のまたは新しい協調情報のシグナリングメカニズムを使用して、実行できる。いくつかの実施形態において、低速時間スケールの情報の交換は、上述のようにハンドオーバメッセージを増やすことにより、および／または、メッセージに応答して、実行できる。
【００６６】
ＵＭＴＳシステムにおいて、ＵＥ６０６は、ＢＳ６０２とすることができるマクロノードＢにより担当され得る。ＵＥ６０６は、ＢＳ６０４に関するＤＬ測定値を作成し、（定期的に、または、イベントベースの型のいずれかで）ＢＳ６０２に報告する。ＢＳ６０２は、報告を処理し、協調情報アルゴリズムを適用して、ＢＳ６０２およびＢＳ６０４間のシグナリングをトリガーできる。例えば、１つの実施形態において、シグナリングは、限定ではないが、ソフトハンドオーバシグナリングを含むことができる。特に、いくつかの実施形態において、Ｉｕｂおよび／またはＩｕｒインターフェースによって、RadioLinkSetupRequest/Responseメッセージを送信できる。メッセージは、Active Set Addを要求しているＵＥ６０６に関する情報を含むことができる。ＢＳ６０４は、ＢＳ６０２からRadioLinkSetupRequestメッセージを受信する際にＵＥ６０６を加えないが、ＵＥ６０６の信号を検出し、例えば、ＵＥ６０６の信号を除去または回避し、ならびに／あるいは、さもなければ、ＵＥ６０６からの干渉の影響を抑制するために電力制御を行うのに必要な情報を、ＢＳ６０４は有するであろう。例えば、RadioLinkSetupRequest/Responseメッセージ、Active Set AddおよびRadioLinkSetupRequestメッセージは、３ＧＰＰ ＴＳ２５．４２３仕様および３ＧＰＰ ＴＳ２５．４３３仕様中で指定されているとおりのものとすることができる。
【００６７】
これらの実施形態において、ターゲットＢＳすなわちＢＳ６０４がRadioLinkSetupResponseメッセージを送らないようにＵＭＴＳプロトコルを指定できる。ＢＳ６０４がＣＳＧ ＢＳ（それゆえに、指定されたＵＥだけを有する制限されているアソシエーションにしたがって動作する）であり、かつ、RadioLinkSetupRequestメッセージ中で示されているＵＥ６０６がＢＳ６０４にアクセスすることを許されないことをＢＳ６０４が決定した場合に、RadioLinkSetupResponseメッセージがＢＳ６０４から送信されないように、ＢＳに対するＵＭＴＳ仕様を修正できる。
【００６８】
ＵＭＴＳプロトコルに対する別の修正は、ＵＥ６０６だけにより作成されている測定値を含むことができ、ＵＥ６０６は、ＵＥ６０６がアクセスすることを許されないＢＳに関する測定値を作成する。
【００６９】
ＬＴＥシステムでは、ＵＥ６０６は、ＢＳ６０２に接続でき、ＢＳ６０４に関するＤＬ測定値を作成できる。ＵＥ６０６は、それらの測定値をＢＳ６０２に報告できる。ＢＳ６０２は、報告を処理して、協調情報アルゴリズムを適用できる。協調情報アルゴリズムは、Ｘ２／Ｓ１インターフェースにより、ＢＳ６０４に対して、ハンドオーバまたは他のＢＳ協調シグナリングをトリガーできる。協調情報アルゴリズムがハンドオーバシグナリングをトリガーする実施形態において、ＵＥ６０６がＢＳ６０４に接続するのを制限されていることに起因してハンドオーバが許されない場合でさえ、ＵＥ６０６に関する情報は、それでもなおＢＳ６０４により受信される。ＢＳ６０４は、ＵＥ６０６に関する情報を利用して、ＵＥからの干渉を回避および／または除去できる。
【００７０】
３ＧＰＰ ＴＳ３６．４２３中で詳述されているＸ２インターフェースに関して、Handover RequestメッセージをソースＢＳすなわちＢＳ６０２により使用して、ターゲットＢＳすなわちＢＳ６０４がＵＥ６０６との接続を受け入れる準備をすることができる。いくつかの実施形態において、このメッセージは、ＲＲＣＣｏｎｔｅｘｔと呼ばれる情報要素を含むことができ、ＲＲＣＣｏｎｔｅｘｔは、３ＧＰＰ ＴＳ３６．３３１セクション１０．２．３中で詳述されているＲＲＣ Handover Preparation Informationメッセージにマッピングできる。Handover Preparation Informationメッセージは、ＵＥ６０６に関するすべての情報を含むことができるAS Configuration情報要素を含むことができ、ＵＥ６０６に関する情報は、限定ではないが、Ｃ−ＲＮＴＩ、RadioResourceConfigDedicatedメッセージを含む。RadioResourceConfigDedicatedメッセージは、ＵＥ６０６の信号の回避、除去および／または他の干渉緩和を実行するためにターゲットＢＳすなわちＢＳ６０４により用いることができる低速時間スケールの情報を含むことができる。Handover Requestメッセージに応答して、ターゲットＢＳすなわちＢＳ６０４が、Handover Acknowledgmentメッセージにより応答しない場合、ハンドオーバは実行されないであろう。したがって、これらの実施形態において、ターゲットＢＳすなわちＢＳ６０４は、ＵＥ６０６のハンドオーバを受け入れることなく、ハンドオーバの間に通常取得されるすべての情報を取得できる。何らかのタイプの協調シグナリングがＢＳ６０２とＢＳ６０４との間で交換される他の実施形態において、ターゲットＢＳすなわちＢＳ６０４は、ＵＥ６０６との通信の協調に対して通常取得される情報を取得できるが、ＵＥ６０６によるＢＳ６０４へのアクセスを許可する必要はない。情報を利用して、ＵＥ６０６からの干渉を回避または除去できる。
【００７１】
いくつかの実施形態において、ＵＥが接続することを許されないＢＳに関する測定値を、ＵＥが作成および報告することができるように、ＵＭＴＳプロトコルを修正できる。ソースＢＳは、Handover Requestメッセージまたは同等物あるいは類似のメッセージを、ＵＥが通信するのを制限されているターゲットＢＳに対して開始できる。ターゲットＢＳは、Handover Requestメッセージを受信して、示されているＵＥがターゲットＢＳに接続するのを許されないことを決定できる。ターゲットＢＳは、それにもかかわらず、Handover Requestメッセージを処理できるが、Handover Requestメッセージを送信したソースＢＳに対してHandover Acknowledgmentメッセージを送信しない。したがって、ＵＭＴＳに対して、バックホール上での協調情報のシグナリングを使用して、ＵＥの干渉信号に関する情報をＢＳに伝達できる。ターゲットＢＳが、ＵＥがターゲットＢＳに接続するのを許可しない場合でさえ、この情報を伝達できる。
【００７２】
いくつかの実施形態において、ＰＵＣＣＨおよびＰＵＳＣＨを、例えば、同じサブフレーム中で一緒に送信できるように、ＬＴＥシステムを指定できる。これらの実施形態において、（割り当てられているＲＢ、付随するＰＵＳＣＨデータに関するトランスポートフォーマットなどを含む）ＵＥ６０６に対するＵＬ割り当てを、ＬＴＥシステムに対するＵＬ送信中に反映できる。
【００７３】
上述のものは、既存の協調情報のシグナリングを使用して、低速時間スケールの情報をＢＳ６０４に提供して、ＵＥ６０６の干渉を管理する方法である。しかしながら、以下で記述するように、低速時間スケールの情報を用いる他の方法もまた用いることができる。
【００７４】
図６Ｂは、ここで示すさまざまな観点にしたがった、低速時間スケールの情報を用いて干渉管理を容易にする別の方法の例のフローチャートである。図６Ｂを、図６Ａおよび６Ｂに関して記述する。
【００７５】
６４０において、方法６３０は、ＢＳ６０４がＵＥ６０６に関する情報を取得することを含むことができる。上述したように、ＵＥ６０６は、ＢＳ６０２により担当できる。さらに、ＵＥ６０６は、ＢＳ６０２により用いられる、制限されているアクセスのルールに起因して、ＢＳ６０２にアクセスするのを制限され得る。
【００７６】
いくつかの実施形態において、ＢＳ６０４により取得される情報は、低速時間スケールの情報である。低速時間スケールの情報は、協調情報のシグナリングにおいて提供でき、協調情報のシグナリングは、限定ではないが、ハンドオーバ目的のためのシグナリングと、限定ではないが、電力制御を含む他の目的のためのシグナリングとを含むことができる。
【００７７】
いくつかの実施形態において、ＵＭＴＳシステムに対して、低速時間スケールの情報は、ＵＥ６０６により使用されるスクランブリングコード、ＵＥ６０６に対するＵＬチャネルコンフィギュレーション情報とすることができる。情報は、ＢＳ６０２からＵＥ６０６に送信できる。さらに、いくつかの実施形態において、ＵＬチャネルコンフィギュレーション情報は、ＵＬＤＰＣＨまたはＥ−ＤＰＣＨを含むことができる。
【００７８】
いくつかの実施形態において、ＵＭＴＳシステムに対して、低速時間スケールの情報は、ＵＥ６０６に関係付けられているＣ−ＲＮＴＩ、ＵＥ６０６に対するパーシステント割り当て情報、ＵＥ６０６に関するＤＰＣＨコンフィギュレーション情報、または、担当しているＢＳ６０２により使用されている多数の制御チャネルシンボルを含むことができる。ＵＥ６０６に対するパーシステント割り当て情報は、限定ではないが、割り当てられているＲＢと、ＵＥに関係付けられているパーシステント割り当ての周期性を示す情報と、ＵＥ６０６に関係付けられているパーシステント割り当て中で使用される変調を示す情報と、ＵＥ６０６に関係付けられているパーシステント割り当てに適用可能なコーディングレートを示す情報と、ＵＥ６０６に関係付けられているパーシステント割り当てのホッピングを示す情報とを含むことができる。いくつかの実施形態において、ＵＥ６０６に関するＤＰＣＨコンフィギュレーション情報は、ＰＵＣＣＨ、ＰＵＳＣＨまたはＳＲＳを含む。
【００７９】
低速時間スケールの情報は、少なくとも２つの一般的なケースにおいてＢＳ６０４により取得できる。第１に、ＢＳ６０４に関する測定値報告を、ＢＳ６０２がＵＥ６０６から受信することに応答する。測定値報告は、受信信号強度インジケータの測定値、基準信号の受信電力測定値、または、基準信号の受信品質測定値のうちの少なくとも１つを含むことができる。測定値報告が、受信信号強度インジケータの測定値、基準信号の受信電力測定値、または基準信号の受信品質測定値のうちの少なくとも１つがしきい値よりも大きいことを示す場合、低速時間スケールの情報をＢＳ６０４に送ることができる。
【００８０】
第２に、ＢＳ６０４の起動の際に、低速時間スケールの情報をＢＳ６０４により取得できる。例えば、ＵＥ６０６がＢＳ６０４に接続することを試みる場合、ＢＳ６０４は、低速時間スケールの情報の獲得を開始するステップを取ることができる。
【００８１】
６５０において、方法６３０は、ＢＳ６０４がＵＥ６０６に対する信号情報を決定することを含むことができる。信号情報は、低速時間スケールの情報に少なくとも部分的に基づいて、決定できる。
【００８２】
６６０において、方法６３０は、ＢＳ６０４が、非担当ＢＳのための、制限されているアクセスのルールに起因してＵＥ６０６へのアクセスを認めないことを含むことができる。それにもかかわらず、６７０において、方法６３０は、ＢＳ６０４が、ＵＥ６０６からの干渉の干渉管理を実行することを含むことができる。干渉管理は、ＵＥ６０６に対する、決定された信号情報に少なくとも部分的に基づいて、実行できる。
【００８３】
干渉管理を実行することは、干渉の回避、除去、電力制御、干渉を受けていると考えられるシンボルの消去、および他の緩和技術を含むことができる。
【００８４】
例えば、いくつかの実施形態において、干渉管理を実行することは、ＵＥ６０６から送信されたＵＬ信号を除去すること、ＵＬ信号がＵＥ６０６からスケジュールされる搬送波とは異なる搬送波上で信号の送信をスケジュールすること、または、（ＢＳ６０４が図５のＢＳ５０２であるときのＵＥ５０６のような）ＢＳ６０４により担当されるＵＥに対して電力制御を実行すること、のうちの少なくとも１つを含む。
【００８５】
いくつかの実施形態において、干渉管理を実行することは、ＢＳ６０４により、ＤＰＣＣＨまたはＥ−ＤＰＣＣＨを復調およびデコードして、付随のＤＰＤＣＨまたはＥ−ＰＤＣＨのＴＦＣＩまたはＥ−ＴＦＣＩを決定することを含む。
【００８６】
いくつかの実施形態において、干渉管理を実行することは、ＢＳ６０４により、ＤＰＣＣＨまたはＥ−ＤＰＣＣＨを復調およびデコードして、付随のＤＰＤＣＨまたはＥ−ＤＰＤＣＨのＴＦＣＩまたはＥ−ＴＦＣＩを決定することと、付随のＤＰＤＣＨまたはＥ−ＤＰＤＣＨを復調することと、復調したソフトシンボルを再拡散することと、チップレベルの入力ストリームから再拡散情報を除去することと、再拡散情報を除去した後で、チップレベルの入力ストリームから、ＢＳ６０４により担当されるＵＥのＤＰＤＣＨまたはＥ−ＤＰＤＣＨを復調することとを含む。
【００８７】
いくつかの実施形態において、ＢＳ６０４において干渉管理を実行することは、担当ＢＳに対してＵＥにより送信されたＤＰＣＣＨまたはＥ−ＤＰＣＣＨを、ＢＳ６０４により復調およびデコードすることと、復調およびデコードに基づいて、ＴＦＣＩまたはＥ−ＴＦＣＩを決定することと、復調、デコードおよび決定に基づいて取得された情報シンボルを再コード化することと、情報シンボルを再拡散することと、チップレベルの入力ストリームから再拡散情報を除去することと、再拡散情報を除去した後に、チップレベルの入力ストリームから、ＢＳ６０４により担当されるＵＥのＤＰＤＣＨまたはＥ−ＤＰＤＣＨを復調およびデコードすることとを含む。ＴＦＣＩまたはＥ−ＴＦＣＩは、付随のＤＰＤＣＨまたはＥ−ＤＰＤＣＨに属する。
【００８８】
さまざまな実施形態において、低速時間スケールの情報に加えて、高速時間スケールの情報をＢＳ６０４により利用できる。高速時間スケールの情報を利用する実施形態を以下で記述する。
【００８９】
ＵＭＴＳシステムに対して、いくつかの実施形態において、ＢＳ６０４は、データ送信に付随する制御チャネル（ＤＰＣＣＨ／Ｅ−ＤＰＣＣＨ）をデコードすることにより、限定ではないが、ＵＬスクランブリングコードと、ＴＦＣＩ−Ｅ−ＴＦＣＩのようなデータ送信に関する情報とを含む、高速時間スケールの情報を決定できる。半静的情報は、（ここで以前に記述した低速時間スケールの協調情報のシグナリングにより伝達でき、ＴＦＳが使用およびこれに類似するものが実施される）ＤＰＤＣＨの数に関する。
【００９０】
ＬＴＥシステムに対して、いくつかの実施形態において、ＢＳ６０４は、限定ではないが、Ｃ−ＲＮＴＩ、割り当てられている物理アップリンク制御チャネル（ＰＵＣＣＨ）リソース、ＰＵＣＣＨ報告フォーマット、および／またはＵＥカテゴリを含む、半静的の高速時間スケールの情報を決定できる。ここで以前に記述した協調情報シグナリングの方法を使用して、半静的情報をバックホールによって伝達できる。ＢＳ６０４はまた、限定ではないが、割り当てられているＲＢ、ＭＣＳおよび／またはホッピング情報を含む、ダイナミックな高速時間スケールの情報を決定できる。
【００９１】
ＵＭＴＳとは異なり、ＬＴＥシステムにおいては、いくつかの実施形態において、ダイナミックな情報は、データと同時にＵＬ上で送信されない。したがって、いくつかの実施形態において、ダイナミックな高速時間スケールの情報は、割り当てチャネル（例えば、ＰＤＣＣＨ）を使用して、ＢＳ６０２によりＵＥ６０６に送信できる。割り当てチャネルに関する巡回冗長検査（ＣＲＣ）は、Ｃ−ＲＮＴＩによりカバーされ得る。ＢＳ６０４は、ＵＥ６０６へのＢＳ６０２の送信に対する割り当てチャネルをリスンして、ＵＥ６０６のＣ−ＲＮＴＩがＵＬ割り当ての一部であるかどうかを決定できる。
【００９２】
さまざまな実施形態において、ＢＳ６０４は、関連したブロードキャスト情報のネットワークリスニングおよび／またはスヌーピングを実行できるように構成できる。ＢＳ６０２からＵＥ６０６への関連したブロードキャスト情報は、限定ではないが、ＵＥ６０６により使用される帯域幅、アンテナポートの数、ＰＢＣＨ情報、および／または、物理的なセル識別子（ＩＤ）を含むことができる。
【００９３】
いくつかの実施形態において、ＢＳ６０４は、信頼できるリスニングを実行するために、シンボルゲーティング方法を使用して、ＢＳ６０２から送信されたＰＤＣＣＨおよび他のＤＬチャネルをリスンできる。シンボルのゲーティングは、ＢＳ６０４およびＢＳ６０２により使用されている搬送波周波数が、同じかまたは互いに近い状況において用いることができる。ゲーティングアプローチにより、ＢＳ６０４は、ＢＳ６０４により送信された信号により干渉（すなわち、自己干渉）されることなく、ネットワークリスニングを実行できる。いくつかの実施形態において、搬送波周波数が、自己干渉を回避し、または、許容できるレベルで自己干渉を維持するために、十分に離れているときでさえ、ゲーティングベースのアプローチは、できる限り望ましいものとすることができ、いくつかの実施形態において、ＢＳ６０４における、余分の受信チェーンに対する必要性を回避する。
【００９４】
標準ＣＰおよび拡張ＣＰにしたがって動作するように構成されているＢＳ６０２およびＢＳ６０４のための、ゲーティングに対するアプローチと、同期を容易にする同期技術を以下で記述する。
【００９５】
図７は、ここで示すさまざまな観点にしたがって、同期およびゲーティングを容易にするための、例示的なダウンリンクおよびＵＬのタイムラインを図示する。タイムラインは、図６Ａおよび７に関して記述できる。
【００９６】
図７は、それぞれ、ＢＳ６０４およびＢＳ６０２に対する、ＤＬタイムライン７１０、７２０を図示する。図７はまた、それぞれ、ＢＳ６０２およびＢＳ６０４に対する、ＵＬタイムライン７３０、７４０を図示する。図７は、ＢＳ６０２、６０４の両方が標準ＣＰを使用しているときのケースを表すことができる。
【００９７】
最初にＤＬタイムライン７１０、７２０を参照すると、ＤＬタイムライン７１０は、ＢＳ６０４と関連することができ、１つ以上のサブフレーム７０２ａ、７０２ｂ、７０２ｃ、７０２ｄ、７０２ｅ、７０２ｆ内での送信を含むことができる。各サブフレーム７０２ａ、７０２ｂ、７０２ｃ、７０２ｄ、７０２ｅ、７０２ｆは、第１のスロット７０４ａと第２のタイムスロット７０４ｂとを含むことができる。ＢＳ６０４は、ＤＬ上で送信される、選択されたシンボルに対してシンボルゲーティングを実行できる。図７中で示したように、シンボルゲーティング動作は、“Ｘ”のしるしに対応する、タイムライン７１０の時間の領域に対して実行できる。例えば、時間期間７０６ａの間に、シンボルゲーティングを実行できる。
【００９８】
ＢＳ６０２は、タイムライン７２０上でＤＬ送信を実行できる。送信は、１つ以上のサブフレーム７２２ａ、７２２ｂ、７２２ｃ、７２２ｄ、７２２ｅ、７２２ｆに対するものとすることができる。各サブフレーム７２２ａ、７２２ｂ、７２２ｃ、７２２ｄ、７２２ｅ、７２２ｆは、第１のスロット７２４ａと第２のスロット７２４ｂとを含むことができる。ＢＳ６０４により実行されるシンボルゲーティングは、選択されたシンボルがＢＳ６０２からＤＬ上で送信される時間期間７２６ａの間のものとすることができる。例えば、ＢＳ６０４により実行されるシンボルゲーティングは、ＰＤＣＣＨシンボルがＢＳ６０２からＵＥ６０６にＤＬ上で送信される時間期間７２６ａの間のものとすることができる。
【００９９】
さまざまな実施形態において、サブフレーム７０２ａ、７０２ｂ、７０２ｃ、７０２ｄ、７０２ｅ、７０２ｆ、および／または、サブフレーム７２２ａ、７２２ｂ、７２２ｃ、７２２ｄ、７２２ｅ、７２２ｆは、ＢＳ６０２およびＢＳ６０４のタイプに対応する、フェムトＢＳおよび／またはマクロＢＳに対するサブフレームとすることができる。さまざまな実施形態において、サブフレーム７０２ａ、７０２ｂ、７０２ｃ、７０２ｄ、７０２ｅ、７０２ｆ、および／または、サブフレーム７２２ａ、７２２ｂ、７２２ｃ、７２２ｄ、７２２ｅ、７２２ｆは、１つ以上の制御チャネルシンボルに加えて、１つ以上のデータシンボルを含むことができる。
【０１００】
これから、ＵＬタイムライン７３０、７４０を参照すると、ＵＬタイムライン７３０に対して、ＢＳ６０２は、ＵＬによってＵＥ６０６からの情報を受信できる。ＵＬタイムライン７４０に対して、ＢＳ６０４は、ＵＥ６０６からＢＳ６０４に送信されたＵＬ送信をリスンできる。
【０１０１】
一例として、限定ではないが、サブフレーム７２２ａ、７２２ｂ、７２２ｃ、７２２ｄ、７２２ｅ、７２２ｆを、それぞれ、サブフレームｎ、ｎ＋１、ｎ＋２、ｎ＋３、ｎ＋４、ｎ＋５と考えることができる。また、一例として、限定ではないが、サブフレーム７０２ａ、７０２ｂ、７０２ｃ、７０２ｄを、それぞれ、ｋ、ｋ＋１、ｋ＋２、ｋ＋３と考えることができる。サブフレーム７４２ａ、７４２ｂ、７４２ｃは、それぞれ、サブフレームｋ＋４、ｋ＋５、ｋ＋７に対応できる。サブフレームｋ＋５は、ＵＬ ｎ＋４およびｎ＋５（７２２ｅ，７２２ｆ）の送信時間期間からの干渉を理解できる。
【０１０２】
サブフレームｎおよびｎ＋１の間に、ＢＳ６０４は、ＵＬ割り当て情報をＵＥ６０６に送信できる。ＵＬ割り当て情報は、それぞれ、サブフレームｎ＋４およびｎ＋５に対するものとすることができ、それぞれ、時間期間７２２ｅおよび７２２ｆで送信できる。
【０１０３】
一般に、ＢＳ６０２からのＰＤＣＣＨシンボルが、ＢＳ６０４に対するＲＳを含んでいるシンボルとオーバーラップしないように、ＢＳ６０４は、ＢＳ６０４からＤＬタイムライン７１０上で送信されるシンボルを、ＢＳ６０２からＤＬタイムライン７２０上で送信されるシンボルと整列させることができる。特に、ＢＳ６０４は、第２のスロット７０４ｂ中の時間期間７０６ａの間にＢＳ６０４から送信されるシンボルを、サブフレーム７２２ａの第１のスロット７２４ａの間に時間期間７２６ａ中でＢＳ６０２から送信されるＰＤＣＣＨシンボルと整列させることができる。１つの実施形態において、第２のスロット７０４ｂ中のシンボル２、３または４を、第１のスロット７２４ａ中の最初の２つのシンボルまたは最初の３つのシンボルと整列させることができる。いくつかの実施形態において、ＢＳ６０４および／またはＢＳ６０２は、マクロＢＳとすることができる。
【０１０４】
したがって、ＢＳ６０４から送信される、時間期間７０６ａにおける３つのシンボルが、ゲートオフされる。ＢＳ６０４は、時間期間７０６ａにおけるシンボルの間のＤＬ送信電力を下げることができる。いくつかの実施形態において、ＢＳ６０４は、時間期間７０６ａにおけるシンボルの間の送信をターンオフする。ＢＳ６０４は次に、ＢＳ６０２からＵＥ６０６に送信された情報を受信して、干渉管理を実行する。
【０１０５】
上述したタイムラインを用いる方法は以下のとおりである。図８Ａは、ここで示すさまざまな観点にしたがった、干渉管理を容易にする別の例示的な方法のフローチャートである。方法８００は、ＵＭＴＳ中で用いることができる。
【０１０６】
８１０において、方法８００は、非担当ＢＳにより、ＵＥに関する情報を決定することを含むことができる。８２０において、方法８００は、非担当ＢＳにより、ＵＥに関する決定情報を用いて、ＵＥからＵＬデータチャネルを受信し、干渉管理を実行することを含むことができる。
【０１０７】
いくつかの実施形態において、例えば、ＵＭＴＳにおいて、情報は、第１の部分と第２の部分とを含むことができる。第１の部分は、担当ＢＳから受信した協調情報のシグナリングに少なくとも部分的に基づいて決定できる。第２の部分は、ＵＥにより送信された制御チャネル情報をデコードすることにより決定できる。いくつかの実施形態において、第１の部分は、半静的情報を含む。半静的情報は、ＵＥにより使用するアップリンクスクランブリングコードと、ＵＥにより使用されている多数のアップリンクスロットコンフィギュレーションのうちの１つとを少なくとも含むことができる。ＵＥにより送信される制御チャネル情報は、ＤＰＣＣＨ情報またはＥ−ＤＰＣＣＨ情報を含むことができる。いくつかの実施形態において、第２の部分は、ＵＬ ＴＦＣＩまたはＥ−ＴＦＣＩを含むことができる。ＵＬ ＴＦＣＩまたはＥ−ＴＦＣＩは、データと同時にＵＬ上でＵＥから送信できる。
【０１０８】
いくつかの実施形態において、例えば、ＬＴＥにおいて、第１の部分の情報は、半静的情報とすることができる。半静的情報は、担当ＢＳから受信した協調情報のシグナリングに少なくとも部分的に基づいて決定できる。半静的情報は、ＵＥに対するセル無線ネットワーク一時識別子、ＵＥに割り当てられているＰＵＣＣＨリソース、ＵＥのカテゴリ、および／または、ＰＵＣＣＨフォーマットを含むことができる。いくつかの実施形態において、第２の部分の情報は、ダイナミックな情報とすることができる。いくつかの実施形態において、ダイナミックな情報は、ＵＥに割り当てられている１つ以上のリソースブロック、ＵＥに対するホッピング情報、ならびに／あるいは、変調およびコーディングスキーム情報を含むことができる。いくつかの実施形態において、ダイナミックな情報は、ＵＥに割り当てられている１つ以上のＲＢ、ＵＥに対するホッピング情報、および／または、ＭＣＳ情報を含むことができ、ＰＵＳＣＨに付随するＰＵＣＣＨ上で送信できる。
【０１０９】
これらの実施形態において、ＰＤＣＣＨのデコードは、ＢＳ６０４のダウンリンクサブフレームをＢＳ６０２のダウンリンクサブフレームに同期させた後に実行できる。いくつかの実施形態において、同期と、後続のゲーティングは、決定された干渉レベル、非担当ＢＳからのダウンリンク送信が最初の送信であるかまたは再送信であるか、ならびに／あるいは、非担当ＢＳによるダウンリンク再送信の間に伝達される追加の信頼性の程度、に少なくとも基づいて実行される。
【０１１０】
いくつかの実施形態において、同期させることは、ＢＳ６０４のダウンリンクサブフレームをＢＳ６０４のダウンリンクサブフレームとずらして配置することを含む。ずらして配置することは、ＢＳ６０４のダウンリンクサブフレーム中の複数のデータシンボルが、ＢＳ６０２のダウンリンクサブフレーム中の複数の制御チャネルシンボルに整列されるようなものとすることができる。
【０１１１】
非担当ＢＳは次に、その送信機の電力を低減させるかまたはターンオフして、担当ＢＳからのダウンリンクをリスンして、担当ＢＳにより担当されているＵＥに対するＵＬ割り当て情報を決定できる。例えば、非担当ＢＳは、ＵＥがＵＬ送信に対してスケジュールされているかどうか、および、セル無線ネットワーク一時識別子が物理ダウンリンク制御チャネル上で送信されたＵＬ許可中に含まれているかどうか、を決定して、ＵＥがアップリンク上で送信するようにスケジュールされているかどうかを決定できる。決定することは、デコードされた物理ダウンリンク制御チャネルに少なくとも部分的に基づいている。
【０１１２】
いくつかの実施形態において、サブフレーム中のシンボルのうちの１つ以上は、データシンボルを含む。いくつかの実施形態において、ゲーティングは、ＢＳ６０２からのＰＤＣＣＨの送信の間に実行される。ＢＳ６０４は、ＢＳ６０２によりＵＥ６０６に送信されているＰＤＣＣＨ送信を受信できる。さまざまな実施形態において、ＢＳ６０４は、ＢＳ６０２からＵＥ６０６へのＤＬ送信をデコードし次第、ＰＤＣＣＨ送信を受信できる。
【０１１３】
ＢＳ６０４は、ＰＤＣＣＨ送信がＢＳ６０２により送信されていたＵＥ６０６に対するＣ−ＲＮＴＩをサーチできる。ＢＳ６０４は、Ｃ−ＲＮＴＩをサーチするために、デコードしたＰＤＣＣＨを用いることができる。
【０１１４】
ＢＳ６０４は、検出したＵＬ割り当てに基づいて、ＵＥ６０６に対するＵＬ割り当てに関するパーシステント情報をデコードできる。いくつかの実施形態において、ＢＳ６０４がＰＤＣＣＨ送信をリスンしてデコードするときに、ＢＳ６０４は、ＵＥ６０６に対するＵＬ割り当てを検出できる。
【０１１５】
ＵＬタイムライン７３０、７４０中で示されているように、ＢＳ６０４は、ＵＥ６０６からＢＳ６０２へのＵＬ送信をリスンできる。いくつかの実施形態において、リスンすることは、ＵＬ割り当て情報をスヌーピングすることにより実行できる。ＵＥへの送信をスヌーピングすることは、ＵＥのＣ−ＲＮＴＩに対応する割り当てのデコードを試行することを含むことができる。
【０１１６】
ＢＳ６０４は、干渉管理に対して、ＵＬ割り当てから検出した情報を使用できる。干渉管理は、限定ではないが、干渉の回避、干渉の除去、または、他の受信技術を含むことができる。干渉管理は、ＢＳ６０２により担当されているＵＥ６０６から結果として生じる干渉に対して、ＢＳ６０４により実行できる。
【０１１７】
ＵＬ割り当て情報が受信されるとき、ＢＳ６０４の高速時間スケールの情報モジュール６１８が、情報を評価して、ＵＥ６０６とＢＳ６０２との間の通信に関連した追加のパラメータを決定できる。例えば、ＰＤＣＣＨを通して決定された情報に基づいて、高速時間スケールの情報モジュール６１８は、割り当てられているＲＢ、変調およびコーディングスキーム（ＭＣＳ）、ホッピング情報、ならびに／あるいは、これらに類似するものを決定できる。ＵＭＴＳシステムにおいて、例えば、高速時間スケールの情報モジュール６１８は、ＵＥ６０６と同期して、代替／追加の方法としてＤＰＣＣＨ情報を決定して、パラメータを受信できる。この例において、高速時間スケールの情報モジュール６１８は、（例えば、トランスポートフォーマット組合せインジケータ（ＴＦＣＩ）を決定するために）情報を復調およびデコードし、（例えば、ＴＦＣＩを使用して）ＤＰＤＣＨ上のデータシンボルを復調し、ＤＰＤＣＨ情報に基づいて、干渉を除去できる。さらに別の例において、ＬＴＥシステムに対して、高速時間スケールの情報モジュール６１８は、ＵＥ６０６と同期して、代替／追加の方法としてＤＬ制御チャネル情報を決定して、パラメータを受信できる。この例において、高速時間スケールの情報モジュール６１８は、ＤＬ制御チャネル情報を復調およびデコードし、（復調され、デコードされた制御チャネル情報を使用することにより）ＵＬ上で送信されたデータシンボルを復調し、ＵＬ上で送信されたデータシンボルを復調することにより取得した情報に基づいて、干渉を除去できる。
【０１１８】
いくつかのシステムの実施形態において、高速時間スケールの情報は、システムのバックホールによってＢＳ６０２、６０４の間で交換できる、ダイナミックな情報とすることができる。例えば、オフィス中に複数のＢＳを有する光ファイババックホールまたはローカルエリアネットワークによって、高速時間スケールの情報を交換できる。さらに、いくつかの実施形態において、ＢＳ６０４において自律的に、高速時間スケールの情報を決定する方法を、バックホールによって交換される高速時間スケールの情報の代わりに用いることができる。ＢＳ６０４は次に、ＵＥ６０６からの干渉を除去および／または回避するための情報を有することができる。
【０１１９】
図８Ｂは、ワイヤレス通信システム中での干渉管理を容易にする別の方法である。８５０において、方法８４０は、ＵＥにより使用するアップリンクスクランブリングコードを示す情報と、ＵＥにより使用されているアップリンクスロットコンフィギュレーションを示す情報とを使用して、非担当ＢＳをＵＥに同期させることを含むことができる。
【０１２０】
同期させることは、専用物理制御チャネル情報または拡張専用物理制御チャネル情報の、１つ以上のパイロットシンボルを処理することと、チャネル推定を実行することとを含むことができる。
【０１２１】
８６０において、方法８４０は、ＵＥに関する情報を決定することを含むことができ、ＵＥは、担当ＢＳにより担当されている。
【０１２２】
いくつかの実施形態において、情報は、第１の部分と第２の部分とを含み、第１の部分は、担当ＢＳから取得した協調情報シグナリングに少なくとも部分的に基づいて決定され、第２の部分は、ＵＥにより送信された制御チャネル情報をデコードすることにより決定される。
【０１２３】
第１の部分は、ＵＥにより使用するアップリンクスクランブリングコードと、ＵＥにより使用されている多数のアップリンクスロットコンフィギュレーションのうちの１つとを少なくとも含む、半静的情報を含むことができる。ＵＥにより送信された制御チャネル情報は、専用物理制御チャネル情報または拡張専用物理制御チャネル情報を含む。
【０１２４】
いくつかの実施形態において、情報は、第１の部分と第２の部分とを含み、第１の部分は、担当ＢＳから取得した協調情報シグナリングに少なくとも部分的に基づいて決定され、第２の部分は、ＵＥにより送信された制御チャネル情報をデコードすることにより決定される。
【０１２５】
いくつかの実施形態において、第２の部分は、トランスポートフォーマット組合せインジケータまたは拡張トランスポートフォーマット組合せインジケータを含み、トランスポートフォーマット組合せインジケータまたは拡張トランスポートフォーマット組合せインジケータは、ＵＥからアップリンク上で、データと同時に送信される。
【０１２６】
８７０において、方法８４０は、ＵＥに関する、決定された情報を用いて、非担当ＢＳにおいて干渉管理を実行することを含むことができる。
【０１２７】
いくつかの実施形態において、非担当ＢＳにおいて干渉管理を実行することは、アップリンク割り当て情報を用いて、ＵＥから送信されたアップリンク信号を除去すること、または、ＵＥからのアップリンク信号が送信に対してスケジュールされている搬送波とは異なる搬送波上で信号の送信をスケジュールすること、のうちの少なくとも１つを含む。
【０１２８】
いくつかの実施形態において、非担当ＢＳにおいて干渉管理を実行することは、非担当ＢＳにより、専用物理制御チャネル情報または拡張専用物理制御チャネル情報を復調およびデコードして、付随の専用物理データチャネルまたは付随の拡張専用物理データチャネルの、トランスポートフォーマット組合せインジケータまたは拡張トランスポートフォーマット組合せインジケータのうちの少なくとも１つを決定することを含む。
【０１２９】
いくつかの実施形態において、非担当ＢＳにおいて干渉管理を実行することは、ＵＥにより送信された、専用物理制御チャネル情報または拡張専用物理制御チャネル情報を、非担当ＢＳにより復調およびデコードし、復調およびデコードすることは、付随の専用物理データチャネルまたは拡張専用物理データチャネルの、トランスポートフォーマット組合せインジケータまたは拡張トランスポートフォーマット組合せインジケータを決定するために実行されることと、付随の専用物理データチャネルまたは拡張専用物理データチャネルを復調することと、復調されたソフトシンボルを再拡散することと、チップレベルの入力ストリームから再拡散情報を除去することと、チップレベルの入力ストリームから再拡散情報を除去した後で、非担当ＢＳにより担当されるＵＥの専用物理データチャネルまたは拡張専用物理データチャネルを復調することとを含む。いくつかの実施形態において、非担当ＢＳにおいて干渉管理を実行することは、さらに、再拡散および除去するのに先立って、専用物理データチャネルまたは拡張専用物理データチャネル上の、復調されたデータシンボルを量子化することを含む。
【０１３０】
いくつかの実施形態において、非担当ＢＳにおいて干渉管理を実行することは、担当ＢＳに対してＵＥにより送信された専用物理制御チャネル情報または拡張専用物理制御チャネル情報を、非担当ＢＳにより復調およびデコードすることと、復調およびデコードに基づいて、トランスポートフォーマット組合せインジケータまたは拡張トランスポートフォーマット組合せインジケータを決定し、トランスポートフォーマット組合せインジケータまたは拡張トランスポートフォーマット組合せインジケータは、ＵＥの、付随の専用物理データチャネルまたは拡張専用物理データチャネルのインジケータであることと、ＵＥの、付随の専用物理データチャネルまたは拡張専用物理データチャネルを復調およびデコードすることと、復調およびデコードに基づいて、かつ、決定に基づいて取得した情報シンボルを再コード化することと、情報シンボルを再拡散することと、チップレベルの入力ストリームから再拡散情報を除去することと、チップレベルの入力ストリームから再拡散情報を除去した後で、非担当ＢＳにより担当されるＵＥの専用物理データチャネルまたは拡張専用物理データチャネルを復調およびデコードすることとを含む。
【０１３１】
ＢＳ６０２およびＢＳ６０４が構成されている、サイクリックプレフィックスのタイプに基づいて、ゲーティングに対する多数のアプローチを取ることができる。図９は、ここで示すさまざまな観点にしたがった、干渉管理を容易にする、標準ＣＰおよび拡張ＣＰに対する例示的なサブフレームの構造のブロック図である。図９は、ＢＳ６０４に対する、２本送信アンテナのケースを利用する実施形態を図示し、そのため、リソース要素（ＲＥ）ラベルＲ０またはＲ１だけが有効である。ＲＥ Ｒ０およびＲ１は、“Ｘ”インジケータが図９中で提供されているブロックにより示すことができる。図９中で示すように、標準ＣＰに対して、ＯＦＤＭシンボル０、１、２、３、４、５および６が単一のスロット中で提供され、一方、拡張ＣＰに対して、ＯＦＤＭシンボル０、１、２、３、４および５が、単一のスロット中で提供される。
【０１３２】
同期、サブフレームをずらして配置すること、およびゲーティングを含む例示的な方法の詳細な特徴は、以下のとおりである。図１０を、図７に関して記述する。１０１０において、方法１０００は、ＢＳ６０４が、ＢＳ６０４からのダウンリンクサブフレームを、ＢＳ６０２からのダウンリンクサブフレームに同期させることを含むことができる。
【０１３３】
１０２０において、方法１０００は、ＢＳ６０２のダウンリンクサブフレームの、１つ以上のシンボルのうちの少なくとも１つが、ダウンリンクサブフレームの、１つ以上のシンボルのうちの少なくとも１つに整列されるように、ダウンリンクサブフレームをダウンリンクサブフレームとずらして配置することを含むことができる。
【０１３４】
１０３０において、方法１０００は、ダウンリンクサブフレームの、１つ以上のシンボルをゲートすることを含むことができる。いくつかの実施形態において、１つ以上のシンボルをゲートすることは、ＢＳ６０４のダウンリンクサブフレームのシンボルを送信することに関係付けられている電力を低減させるかまたは停止することを含む。
【０１３５】
さまざまな実施形態において、ゲーティングは、ＢＳ６０４およびＢＳ６０２に対するサイクリックプレフィックスのタイプにしたがって実行できる。いくつかの実施形態において、ＢＳ６０４およびＢＳ６０２は、標準サイクリックプレフィックスの動作に対して構成される。これらの実施形態のいくつかにおいて、ダウンリンクサブフレームの、１つ以上のシンボルは、３つのＰＤＣＣＨシンボルを含み、ダウンリンクサブフレームの、１つ以上のシンボルは、ダウンリンクサブフレームの第２のスロットのシンボル２、３および／または４を含む。
【０１３６】
いくつかの実施形態において、ＢＳ６０４およびＢＳ６０２は、標準サイクリックプレフィックスの動作に対して構成される。これらの実施形態のいくつかにおいて、ダウンリンクサブフレームの、１つ以上のシンボルは、３つのＰＤＣＣＨシンボルを含み、ダウンリンクサブフレームの、１つ以上のシンボルは、ＢＳ６０４のダウンリンクサブフレームの第２のスロットのシンボル２、３および／または４を含む。これらの実施形態のいくつかにおいて、方法１０９０はまた、ダウンリンクサブフレームの第２のスロットのシンボル２、３および／または４の間に、ＵＥ６０６に対するＣ−ＲＮＴＩをサーチすることと、担当ＢＳにより担当されているＵＥに対するＵＬ割り当て情報を決定することとを含むことができる。
【０１３７】
標準サイクリックプレフィックスの動作に対するこれらの実施形態のいくつかにおいて、特定の干渉管理を実行できる。干渉管理は、担当ＢＳ６０２により担当されているＵＥ６０６に対してＵＬ上で割り当てる、トランスポートフォーマットまたは１つ以上のＲＢを選択すること、または、担当ＢＳ６０２により担当されているＵＥ６０６に対するＵＬ電力制御コマンドを選択すること、のうちの少なくとも１つを含むことができる。
【０１３８】
いくつかの実施形態において、ＢＳ６０４および担当ＢＳは、拡張サイクリックプレフィックスの動作に対して構成される。これらの実施形態のいくつかにおいて、ダウンリンクサブフレームの、１つ以上のシンボルは、３つのＰＤＣＣＨを含み、ダウンリンクサブフレームの、１つ以上のシンボルは、ダウンリンクサブフレームの第２のスロットのシンボル２、３および／または４を含む。これらの実施形態において、方法はまた、ダウンリンクサブフレームの、１つ以上のシンボルにおける、セル固有基準信号を含む第１のシンボルをパワーブーストとすること、および、ダウンリンクサブフレームの、１つ以上のシンボルにおけるデータを、送信しないこと、または、低い電力で送信すること（例えば、ゲートすること）を含むことができる。
【０１３９】
いくつかの実施形態において、ＢＳ６０４およびＢＳ６０２は、拡張サイクリックプレフィックスの動作に対して構成される。これらの実施形態のいくつかにおいて、ダウンリンクサブフレームの、１つ以上のシンボルは、最初の１つ、または最初２つのＰＤＣＣＨを含み、ダウンリンクサブフレームの、１つ以上のシンボルは、ダウンリンクサブフレームの第２のスロットのシンボル２あるいはシンボル２および３を含む。これらの実施形態のいくつかにおいて、方法はまた、最初の２つのＰＤＣＣＨシンボルをデコードすることを含むことができ、デコードすることは、ダウンリンクサブフレームの第２のスロットのシンボル２および３の間に、ＢＳ６０４によりデコードされた制御チャネル要素（ＣＣＥ）を使用することを含む。
【０１４０】
いくつかの実施形態において、ＢＳ６０４およびＢＳ６０２は、拡張サイクリックプレフィックスの動作に対して構成される。これらの実施形態のいくつかにおいて、ダウンリンクサブフレームの、１つ以上のシンボルは、最初２つのＰＤＣＣＨを含み、ダウンリンクサブフレームの、１つ以上のシンボルは、ダウンリンクサブフレームの第２のスロットのシンボル２、３および／または４を含み、第２のスロットのシンボル４は、共通の基準信号を含み、データを含まない。
【０１４１】
いくつかの実施形態において、ＢＳ６０４およびＢＳ６０２は、拡張サイクリックプレフィックスの動作に対して構成される。これらの実施形態のいくつかにおいて、ダウンリンクサブフレームの、１つ以上のシンボルは、最初の２つのＰＤＣＣＨシンボルを含み、ダウンリンクサブフレームの、１つ以上のシンボルは、ダウンリンクサブフレームの第２のスロットのシンボル２、３および／または４を含み、第２のスロットのシンボル４は、共通の基準信号を含み、データを含まず、第２のスロットはまた、ＢＳ６０４からデータＲＢ内で送信される共通の基準信号を含む。
【０１４２】
いくつかの実施形態において、ＢＳ６０４は、標準サイクリックプレフィックスの動作に対して構成され、ＢＳ６０２は、拡張サイクリックプレフィックスの動作に対して構成される。これらの実施形態のいくつかにおいて、ダウンリンクサブフレームの、１つ以上のシンボルは、３つのＰＤＣＣＨシンボルを含み、ダウンリンクサブフレームの、１つ以上のシンボルは、３つのシンボルを含み、３つのシンボルのうちの第２のシンボルは、３つのＰＤＣＣＨの第１のシンボルに整列するように同期される。
【０１４３】
いくつかの実施形態において、ＢＳ６０２は、標準サイクリックプレフィックスの動作に対して構成され、ＢＳ６０４は、拡張サイクリックプレフィックスの動作に対して構成され、ダウンリンクサブフレームの、１つ以上のシンボルは、ＰＤＣＣＨシンボルを含み、ダウンリンクサブフレームの第２のスロットの第２のシンボルが、物理ダウンリンク制御チャネルシンボルの第１のシンボルに整列するように同期されるように、ダウンリンクサブフレームの、１つ以上のシンボルは整列される。
【０１４４】
再度図１０に戻ると、１０４０において、方法１０００は、ダウンリンクサブフレームの、１つ以上のシンボルをデコードすることを含むことができる。
【０１４５】
いくつかの実施形態において、ダウンリンクサブフレームの、１つ以上のシンボルは、１つ以上のＰＤＣＣＨシンボルである。さらに、少なくとも、第１の部分の情報は、半静的情報であり、第２の部分の情報は、ダイナミックな情報である。いくつかの実施形態において、半静的情報は、協調メッセージ中に含まれ、ＵＥに対するＣ−ＲＮＴＩ、ＵＥに対して割り当てられているＰＵＣＣＨリソース、ＵＥのカテゴリまたはＰＵＣＣＨフォーマットを含む。いくつかの実施形態において、ダイナミックな情報は、ＵＥに割り当てられている１組のリソースブロック、ＵＥに対するホッピング情報またはＭＣＳ情報を含む。
【０１４６】
１０５０において、方法１０００は、ＵＥ６０６に関連する干渉管理を実行するための情報を決定することを含むことができる。いくつかの実施形態において、情報は、ダウンリンクサブフレームの、１つ以上のシンボルをデコードすることに少なくとも部分的に基づいて決定できる。
【０１４７】
１０６０において、方法１０００はまた、ＢＳ６０４において干渉管理を実行することを含むことができる。これらの実施形態のいくつかにおいて、干渉管理を実行することは、ＢＳ６０４により、ダウンリンクサブフレームのＰＤＣＣＨシンボルを復調およびデコードすることと、ダウンリンクサブフレームのＰＤＣＣＨシンボルを復調およびデコードすることに少なくとも基づいて、ＵＥ６０６に関係付けられているデータを、ＢＳ６０４により、復調およびデコードすることと、復調されたソフトシンボルを再拡散することと、チップレベルの入力ストリームから再拡散情報を除去することと、チップレベルの入力ストリームから再拡散情報を除去した後で、ＢＳ６０４により担当されるＵＥに関係付けられているデータを復調することとを含む。いくつかの実施形態において、干渉管理を実行することはまた、再拡散および除去に先立って、復調されたソフトシンボルを最も近いコンステレーションに量子化することを含むことができる。
【０１４８】
図１１は、ここで示すさまざまな観点にしたがった、干渉管理を容易にする別の例示的な方法のフローチャートである。
【０１４９】
１１１０において、方法１１００は、担当ＢＳにより担当されているＵＥに関する情報を、非担当ＢＳにより決定することを含むことができ、決定は、ダウンリンク上で担当ＢＳからＵＥに送信されたＰＤＣＣＨ情報をデコードすることにより実行される。１１２０において、方法１１００は、ＢＳ６０２のダウンリンクサブフレームの選択されたサブフレームの間に、担当ＢＳからのＰＤＣＣＨをデコードすることに少なくとも部分的に基づいて、ＢＳ６０４のダウンリンクサブフレームの選択されたサブフレームに対して、ＵＬ割り当てを、非担当ＢＳにより適合させることを含むことができる。１１３０において、方法１１００は、担当ＢＳにより担当されているＵＥに対するＵＬ送信属性を決定することを含むことができ、ＵＬ送信属性を決定することは、ＵＥがＵＬ割り当てに基づいてＵＬ上でスケジュールされているかどうかを決定した後に実行される。
【０１５０】
１１４０において、方法１１００は、非担当ＢＳにより、ＵＥに関する決定された情報を用いて、担当ＢＳにより担当されているＵＥからの干渉に少なくとも部分的に基づいて、担当ＢＳにより担当されているＵＥの干渉管理または電力制御のうちの少なくとも１つを実行することを含むことができる。干渉管理を実行することは、担当ＢＳにより担当されているＵＥがＵＬ上でスケジュールされていることを決定することに応答して、決定されたＵＬ送信属性に少なくとも部分的に基づくことができる。干渉管理は、干渉の除去、回避、およびここで記述する他の受信技術を含むことができる。
【０１５１】
図１２は、ここで示すさまざまな観点にしたがった、干渉管理を容易にする例示的な方法のフローチャートである。
【０１５２】
１２１０において、方法１２００は、ＢＳ６０２が、ＵＥ６０６による送信を示すＵＬ情報を受信することを含むことができる。１２２０において、方法１２００は、ＢＳ６０４が、ＵＥ６０６に対して、ＵＥ６０６が送信している第１の搬送波を決定することを含むことができ、決定は、ＵＬ情報に少なくとも部分的に基づいている。１２３０において、方法１２００は、許容できないレベルの干渉が第１の搬送波上に存在していることを決定することに応答して、第２の搬送波上で信号を送信することを含むことができ、第２の搬送波は、第１の搬送波とは異なる。
【０１５３】
上述した干渉管理のための方法に加えて、または、代わりに、いくつかの実施形態において、ＬＴＥシステムでは、干渉管理を実行することは、ＰＵＣＣＨおよび／またはＳＲＳの除去を実行することを含む。
【０１５４】
さらに、いくつかの実施形態において、ＬＴＥシステムでは、担当ＢＳにより担当されているＵＥに対してＵＬ割り当てを適合させる方法を用いることができる。方法は、ＵＥがＵＬ上でスケジュールされているかどうかに関する決定に基づくことができる。決定は、非担当ＢＳのシンボルがゲートオフされている期間の間に、担当ＢＳからＵＥに送信されるＰＤＣＣＨをデコードすることに基づいて実施できる。一例として、限定ではないが、図７に関して、ＵＬ割り当ては、ｎ＋１のサブフレームのコンテンツを聞くことに基づいて、サブフレームｋ＋２中で実施できる。
【０１５５】
さらに、いくつかの実施形態において、ＬＴＥシステムでは、担当ＢＳにより担当されているＵＥに対してＤＬ送信を適合させる方法を用いることができる。いくつかの実施形態において、ＤＬ送信に関係付けられている電力を適合させることができる。ＵＥに対するＤＬ割り当ての決定に少なくとも基づいて、電力を適合させることができる。一例として、限定ではないが、図７に関して、サブフレームｋ＋２中で実施されるＵＬ割り当てを、ｎ＋１のサブフレームにおけるコンテンツを聞くことに基づいて適合させることができる。
【０１５６】
さまざまに、ＵＭＴＳおよび／またはＬＴＳの実施形態において、非担当ＢＳにおいて干渉管理を実行することは、ＵＬ割り当て情報を用いて、ＵＥから送信されたＵＬ信号を除去することと、ＵＥからのアップリンク信号が送信に対してスケジュールされている搬送波とは異なる搬送波上で信号の送信をスケジュールすることと、のうちの少なくとも１つを含むことができる。さまざまな実施形態において、干渉管理は、限定ではないが、干渉の除去、干渉の回避または他の受信技術を含むことができる。
【０１５７】
干渉管理を容易にする方法の他の実施形態において、ＢＳ６０４により担当されているＵＥがスケジュールされる帯域幅および／またはトランスポートフォーマットを調整して、ゲートオフ動作を容易にできる。
【０１５８】
１つの実施形態において、ＵＥの干渉管理を実行することは、ＵＥから送信された信号を、非担当ＢＳにより除去することを含み、除去は、非担当ＢＳによりデコードされたＵＬ割り当て情報を用いて実行される。
【０１５９】
別の実施形態において、ＵＥの干渉管理を実行することは、専用物理制御チャネル情報または拡張専用物理制御チャネル情報を、非担当ＢＳにより復調およびデコードして、付随の専用物理データチャネルまたは拡張専用物理データチャネルの、トランスポートフォーマット組合せインジケータまたは拡張トランスポートフォーマット組合せインジケータを決定することを含む。
【０１６０】
別の実施形態において、担当ＢＳにより担当されているＵＥの干渉管理を実行することは、担当ＢＳに対してＵＥにより送信された専用物理制御チャネル情報または拡張専用物理制御チャネル情報を、非担当ＢＳにより復調およびデコードして、付随の専用物理データチャネルまたは拡張専用物理データチャネルの、トランスポートフォーマット組合せインジケータまたは拡張トランスポートフォーマット組合せインジケータを決定することと、付随の専用物理データチャネルまたは拡張専用物理データチャネルを復調することと、復調されたソフトシンボルを再拡散することと、チップレベルの入力ストリームから拡散情報を除去することと、再拡散情報の除去後に、チップレベルの入力ストリームから、非担当ＢＳにより担当されているＵＥの専用物理データチャネルまたは拡張専用物理データチャネルを復調することとを含む。
【０１６１】
別の実施形態において、担当ＢＳにより担当されているＵＥの干渉管理を実行することは、専用物理制御チャネル情報または拡張専用物理制御チャネル情報内の１つ以上のＵＥデータシンボルを、非担当ＢＳにより復調することと、チャネル推定を実行することとを含み、復調は、専用物理制御チャネル情報または拡張専用物理制御チャネル情報中の１つ以上のパイロットシンボルを使用して同期を実行することに少なくとも部分的に基づいている。
【０１６２】
別の実施形態において、担当ＢＳにより担当されているＵＥの干渉管理を実行することは、専用物理制御チャネル情報または拡張専用物理制御チャネル情報内の１つ以上のＵＥデータシンボルを、非担当ＢＳにより復調することと、チャネル推定を実行することと、復調された１つ以上のＵＥデータシンボルを、最も近いコンステレーションポイントに量子化することと、復調され、量子化された１つ以上のＵＥデータシンボルを再拡散することと、チップレベルの入力ストリームから再拡散情報を除去することとを含み、復調は、専用物理制御チャネル情報または拡張専用物理制御チャネル情報中の１つ以上のパイロットシンボルを使用して同期を実行することに少なくとも部分的に基づいている。
【０１６３】
別の実施形態において、担当ＢＳにより担当されているＵＥの干渉管理を実行することは、ＵＥにより担当ＢＳに対して送信された専用物理制御チャネル情報または拡張専用物理制御チャネル情報を、非担当ＢＳにより復調およびデコードすることと、復調およびデコードすることに基づいて、トランスポートフォーマット組合せインジケータまたは拡張トランスポートフォーマット組合せインジケータを決定し、トランスポートフォーマット組合せインジケータまたは拡張トランスポートフォーマット組合せインジケータは、付随の専用物理データチャネルまたは拡張専用物理データチャネルに属することと、非担当ＢＳにより担当されているＵＥの、付随の専用物理データチャネルまたは拡張専用物理データチャネルを復調およびデコードすることと、復調、デコードおよび決定することに基づいて取得した情報シンボルを再コード化することと、情報シンボルを再拡散することと、チップレベルの入力ストリームから再拡散情報を除去することと、再拡散情報の除去後に、チップレベルの入力ストリームから、非担当ＢＳにより担当されているＵＥの、専用物理データチャネルまたは拡張専用物理データチャネルを復調およびデコードすることとを含む。
【０１６４】
図１３ないし１８は、ここで示すさまざまな観点にしたがった、ネットワークリスニングおよび／または干渉管理を用いる例示的なシステムのブロック図の実例である。
【０１６５】
図１３に目を向けると、干渉管理を容易にするシステムが図示されている。システム１３００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１３００は、一緒に作動できる電気コンポーネントの論理グループ分け１３０２を含むことができる。
【０１６６】
例えば、論理グループ分け１３０２は、担当ＢＳにより担当されているＵＥに関する情報を取得する電気コンポーネント１３０４を含むことができる。論理グループ分け１３０２は、この情報に少なくとも部分的に基づいて、信号情報を決定する電気コンポーネント１３０６を含むことができる。
【０１６７】
論理グループ分け１３０２はまた、装置に対する、制限されているアクセスのルールに起因して、担当ＢＳにより担当されているＵＥへのアクセスを許可しない電気コンポーネント１３０８を含むことができる。
【０１６８】
論理グループ分け１３０２はまた、担当ＢＳにより担当されているＵＥの干渉管理を実行する電気コンポーネント１３１０を含むことができる。
【０１６９】
いくつかの実施形態において、情報は、低速時間スケールの情報である。論理グループ分け１３０２はまた、情報を記憶するメモリ１３１２を含むことができる。
【０１７０】
図１４に目を向けると、干渉管理を容易にするシステムが図示されている。システム１４００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１４００は、一緒に作動できる電気コンポーネントの論理グループ分け１４０２を含むことができる。
【０１７１】
例えば、論理グループ分け１４０２は、担当ＢＳにより担当されているＵＥに関する情報を、非担当ＢＳにより決定する電気コンポーネント１４０４を含むことができる。
【０１７２】
論理グループ分け１４０２はまた、ＵＥに関する決定情報を非担当ＢＳにより用いて、ＵＥからＵＬデータチャネルを受信して干渉管理または電力制御を実行する電気コンポーネント１４０６を含むことができる。
【０１７３】
論理グループ分け１４０２はまた、担当ＢＳにより担当されているＵＥにより送信された信号に対して干渉管理を実行する電気コンポーネント１４０８を含むことができる。
【０１７４】
論理グループ分け１４０２はまた、ＵＥに関する情報を記憶するメモリ１４１０を含むことができる。
【０１７５】
これから図１５に目を向けると、干渉管理を容易にするシステムが図示されている。システム１５００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１５００は、一緒に作動できる電気コンポーネントの論理グループ分け１５０２を含むことができる。
【０１７６】
例えば、論理グループ分け１５０２は、ＵＥに関する情報を決定する電気コンポーネント１５０４を含むことができ、ＵＥは、担当ＢＳにより担当されている。
【０１７７】
論理グループ分け１５０２はまた、ＵＥにより使用するアップリンクスクランブリングコードを示す情報と、ＵＥにより使用されているアップリンクスロットコンフィギュレーションを示す情報とを使用して、非担当ＢＳをＵＥに同期させる電気コンポーネント１５０６を含むことができる。
【０１７８】
論理グループ分け１５０２はまた、ＵＥに関する決定情報を用いて、装置において干渉管理を実行する電気コンポーネント１５０８を含むことができる。論理グループ分け１５０２はまた、ＵＥに関する情報を記憶するメモリ１５１０を含むことができる。
【０１７９】
これから図１６に目を向けると、干渉管理を容易にするシステムが図示されている。システム１６００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１６００は、一緒に作動できる電気コンポーネントの論理グループ分け１６０２を含むことができる。
【０１８０】
例えば、論理グループ分け１６０２は、ＢＳ６０４のダウンリンクサブフレームをＢＳ６０２のダウンリンクサブフレームに同期させる電気コンポーネント１６０４を含むことができる。論理グループ分け１６０２はまた、少なくとも１つのシンボルが、ＢＳ６０２のダウンリンクサブフレームのシンボルとオーバーラップするように、非担当ＢＳに対するダウンリンクサブフレームをずらして配置する電気コンポーネント１６０６を含むことができる。
【０１８１】
論理グループ分け１６０２はまた、１つ以上のシンボルをゲートする電気コンポーネント１６０８を含むことができる。論理グループ分け１６０２はまた、１つ以上のシンボルをデコードする電気コンポーネント１６１０を含むことができる。
【０１８２】
論理グループ分け１６０２はまた、干渉管理を実行するための情報を決定する電気コンポーネント１６１２を含むことができる。論理グループ分け１６０２はまた、干渉管理を実行する電気コンポーネント１６１４を含むことができる。論理グループ分け１６０２はまた、情報を記憶するメモリ１６１６を含むことができる。
【０１８３】
これから図１７に目を向けると、干渉管理を容易にするシステムが図示されている。システム１７００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１７００は、一緒に作動できる電気コンポーネントの論理グループ分け１７０２を含むことができる。
【０１８４】
例えば、論理グループ分け１７０２は、担当ＢＳにより担当されているＵＥに関する情報を、非担当ＢＳにより決定する電気コンポーネント１７０４を含むことができ、決定は、ダウンリンク上で担当ＢＳからＵＥに送信されたＰＤＣＣＨ情報をデコードすることにより実行される。
【０１８５】
論理グループ分け１７０２は、ＢＳ６０２のダウンリンクサブフレームの選択されたサブフレームの間に、担当ＢＳからのＰＤＣＣＨをデコードすることに少なくとも部分的に基づいて、ＢＳ６０４のダウンリンクサブフレームの選択されたサブフレームに対して、ＵＬ割り当てを、非担当ＢＳにより適合させる電気コンポーネント１７０６を含むことができる。
【０１８６】
論理グループ分け１７０２は、担当ＢＳにより担当されているＵＥに対するＵＬ送信属性を決定する電気コンポーネント１７０８を含むことができ、ＵＬ送信属性を決定することは、ＵＥがＵＬ割り当てに基づいてＵＬ上でスケジュールされているかどうかを決定した後に実行される。
【０１８７】
論理グループ分け１７０２は、ＵＥに関する決定情報を非担当ＢＳにより用いて、担当ＢＳにより担当されているＵＥからの干渉に少なくとも部分的に基づいて、担当ＢＳにより担当されているＵＥの干渉管理または電力制御のうちの少なくとも１つを実行する電気コンポーネント１７１０を含むことができる。さまざまな実施形態において、干渉管理は、限定ではないが、干渉の除去、干渉の回避または他の受信技術を含むことができる。
【０１８８】
論理グループ分け１７０２は、ＵＥに関する情報と、ＵＬ送信属性と、ＵＬ割り当て情報とを記憶するメモリ１７１２を含むことができる。
【０１８９】
これから図１８に目を向けると、干渉管理を容易にするシステムが図示されている。システム１８００は、機能ブロックを含むものとして表されており、機能ブロックは、プロセッサ、ハードウェア、ソフトウェア、ファームウェア、または、これらの組合せにより実現される機能を表す機能ブロックとすることができることを理解すべきである。システム１８００は、一緒に作動できる電気コンポーネントの論理グループ分け１８０２を含むことができる。
【０１９０】
例えば、論理グループ分け１８０２は、非担当ＢＳにより担当されていないＵＥによる送信を示すＵＬ情報を受信する電気コンポーネント１８０４を含むことができる。
【０１９１】
論理グループ分け１８０２は、非担当ＢＳにより担当されていないＵＥに対して、非担当ＢＳにより担当されていないＵＥが送信している第１の搬送波を決定する電気コンポーネント１８０６を含むことができ、決定は、ＵＬ情報に少なくとも部分的に基づいている。
【０１９２】
論理グループ分け１８０２は、許容できないレベルの干渉が第１の搬送波上に存在していることを決定することに応答して、第２の搬送波上で信号を送信する電気コンポーネント１８０８を含むことができ、第２の搬送波は、第１の搬送波とは異なる。
【０１９３】
論理グループ分け１８０２は、低速時間スケールの情報および／または高速時間スケールの情報、ＵＥに関するＵＬ情報を記憶するメモリ１８１０を含むことができる。
【０１９４】
ワイヤレス多元接続通信システムは、複数のワイヤレスアクセス端末に対する通信を同時にサポートできる。上述したように、各端末は、フォワードリンクおよびリバースリンク上での送信により、１つ以上のＢＳと通信できる。フォワードリンク（またはＤＬ）は、ＢＳから端末への通信リンクを指し、リバースリンク（またはＵＬ）は、端末からＢＳへの通信リンクを指す。この通信リンクは、単一入力単一出力システム、複数入力複数出力（ＭＩＭＯ）システム、または他の任意のタイプのシステムにより確立できる。
【０１９５】
ＭＩＭＯシステムは、データ送信に対して、複数（ＮT本）の送信アンテナと、複数（ＮR本）の受信アンテナとを用いる。ＮT本の送信アンテナと、ＮR本の受信アンテナとにより形成されるＭＩＭＯチャネルは、空間チャネルとも呼ばれるＮS個の独立チャネルに分解できる。ここで、ＮS≦最小値｛ＮT，ＮR｝である。ＮS個の独立チャネルのそれぞれは、１つの次元に対応する。複数の送信アンテナおよび受信アンテナにより生成される、追加の次元が利用される場合、ＭＩＭＯシステムは、性能の向上（例えば、より高いスループットおよび／または、より大きな信頼性）を提供できる。
【０１９６】
ＭＩＭＯシステムは、時分割複信（ＴＤＤ）および周波数分割複信（ＦＤＤ）をサポートできる。ＴＤＤシステムにおいて、フォワードリンクおよびリバースリンクの送信は、同じ周波数領域上にあり、それにより、相反原理が、リバースリンクチャネルからフォワードリンクチャネルの推定を可能にする。これにより、複数のアンテナがＢＳにおいて利用可能であるとき、ＢＳは、フォワードリンク上で送信ビームフォーミングゲインを抽出することが可能になる。
【０１９７】
図１９は、ここで示すさまざまな観点にしたがった、ここで記述する実施形態を用いることができる例示的なワイヤレス通信システムを示す。ここでの教示は、ワイヤレス通信システム１９００中の少なくとも１つの他のノードと通信するために、さまざまなコンポーネントを用いるノード（例えば、デバイス）に組み込まれてもよい。図１９は、ノード間での通信を容易にするために用いてもよい、いくつかの例示的なコンポーネントを描写する。特に、図１９は、ワイヤレス通信システム１９００（例えば、複数入力複数出力（ＭＩＭＯ）システム）のＢＳ１９１０（例えば、アクセスポイント）およびワイヤレスデバイス１９５０（例えば、アクセス端末）を図示する。ＢＳ１９１０において、多数のデータストリームに対するトラフィックデータが、データ源１９１２から送信（ＴＸ）データプロセッサ１９１４に提供される。
【０１９８】
いくつかの観点において、各データストリームは、それぞれのアンテナに対して送信される。ＴＸデータプロセッサ１９１４は、各データストリームに対して選択された特定のコーディングスキームに基づいて、そのデータストリームに対するトラフィックデータをフォーマットし、コード化し、インターリーブして、コード化されたデータを提供する。
【０１９９】
各データストリームに対するコード化データは、ＯＦＤＭ技術を使用して、パイロットデータと多重化してもよい。パイロットデータは一般に、既知の方法で処理される既知のデータパターンであり、チャネル応答を推定するために受信機システムにおいて使用されてもよい。各データストリームに対する、多重化パイロットおよびコード化データは、そのデータストリームに対して選択される特定の変調スキーム（例えば、バイナリ位相シフトキーイング（ＢＰＳＫ）、直交位相シフトキーイング（ＱＰＳＫ）、ｍ−アレイ位相シフトキーイング（Ｍ−ＰＳＫ）、または、複数レベル直交振幅変調（Ｍ−ＱＡＭ））に基づいて変調（例えば、シンボルマッピング）されて、変調シンボルが提供される。各データストリームに対するデータレート、コーディング、および変調は、プロセッサ１９３０により実行される命令によって決定してもよい。データメモリ１９３２は、プロセッサ１９３０またはＢＳ１９１０の他のコンポーネントにより使用される、プログラムコード、データおよび他の情報を記憶してもよい。
【０２００】
すべてのデータストリームに対する変調シンボルは、ＴＸ ＭＩＭＯプロセッサ１９２０に提供され、ＴＸ ＭＩＭＯプロセッサ１９２０は、（例えば、ＯＦＤＭに対する）変調シンボルをさらに処理してもよい。ＴＸ ＭＩＭＯプロセッサ１９２０は、次に、ＮT個の変調シンボルストリームをＮT台のトランシーバ（ＸＣＶＲ）１９２２Ａないし１９２２Ｔに提供する。いくつかの観点において、ＴＸ ＭＩＭＯプロセッサ１９２０は、データストリームのシンボルと、シンボルが送信されているアンテナとに対してビームフォーミングの重みを適用する。
【０２０１】
各トランシーバ１９２２は、それぞれのシンボルストリームを受け取って、処理して、１つ以上のアナログ信号を提供し、さらにアナログ信号を調整して（例えば、増幅し、フィルタリングし、アップコンバートする）、ＭＩＭＯチャネルに対して送信に適切な変調信号を提供する。トランシーバ１９２２Ａないし１９２２ＴからのＮT個の変調信号は、それぞれＮT本のアンテナ１９２４Ａないし１９２４Ｔから送信される。
【０２０２】
ワイヤレスデバイス１９５０において、送信された変調信号が、ＮR本のアンテナ１９５２Ａないし１９５２Ｒによって受信され、各アンテナ１９５２からの受信信号は、それぞれのトランシーバ（ＸＣＶＲ）１９５４Ａないし１９５４Ｒに提供される。各トランシーバ１９５４は、それぞれの受信信号を調整し（例えば、フィルタリングし、増幅し、ダウンコンバートする）、調整された信号をデジタル化してサンプルを提供し、さらにサンプルを処理して、対応する“受信”シンボルストリームを提供する。
【０２０３】
受信（ＲＸ）データプロセッサ１９６０は、ＮR台のトランシーバ１９５４からＮR個の受信シンボルストリームを受け取り、特定の受信機処理技術に基づいて処理して、ＮT個の“検出された”シンボルストリームを提供する。ＲＸデータプロセッサ１９６０は、各検出されたシンボルストリームを復調し、デインターリーブし、デコードして、データストリームに対するトラフィックデータを回復する。ＲＸデータプロセッサ１９６０による処理は、ＢＳ１９１０におけるＴＸ ＭＩＭＯプロセッサ１９２０およびＴＸデータプロセッサ１９１４により実行される処理と相補関係にある。
【０２０４】
プロセッサ１９７０は、（以下で説明するように）どのプリコーディング行列を使用するかを定期的に決定する。プロセッサ１９７０は、行列インデックス部分とランク値部分とを備えるリバースリンクメッセージを構築する。データメモリ１９７２は、プロセッサ１９７０またはワイヤレスデバイス１９５０の他のコンポーネントにより使用される、プログラムコード、データおよび他の情報を記憶してもよい。
【０２０５】
リバースリンクメッセージは、通信リンクおよび／または受信データストリームに関するさまざまなタイプの情報を含んでもよい。リバースリンクメッセージは、データ源１９３６から多数のデータストリームに対するトラフィックデータも受信するＴＸデータプロセッサ１９３８によって処理され、変調器１９８０によって変調され、トランシーバ１９５４Ａないし１９５４Ｒによって調整され、ＢＳ１９１０対して戻すように送信される。
【０２０６】
ＢＳ１９１０において、ワイヤレスデバイス１９５０からの変調信号は、アンテナ１９２４によって受信され、トランシーバ１９２２によって調整され、復調器（ＤＥＭＯＤ）１９４０によって復調され、ＲＸデータプロセッサ１９４２によって処理されて、ワイヤレスデバイス１９５０により送信されたリバースリンクメッセージが抽出される。プロセッサ１９３０は、ビームフォーミングの重みを決定するためにどのプリコーディング行列を使用するかを決定し、次に、抽出されたメッセージを処理する。
【０２０７】
図１９はまた、通信コンポーネントが、ここで教示した干渉制御動作を実行する１つ以上のコンポーネントを含んでいてもよいことを図示する。例えば、干渉（ＩＮＴＥＲ．）制御コンポーネント１９９０は、プロセッサ１９３０および／またはＢＳ１９１０の他のコンポーネントと協同して、ここで教示する別のデバイス（例えば、ワイヤレスデバイス１９５０）に／から信号を送信／受信してもよい。同様に、干渉制御コンポーネント１９９２は、プロセッサ１９７０および／またはワイヤレスデバイス１９５０の他のコンポーネントと協同して、別のデバイス（例えば、ＢＳ１９１０）に／から信号を送信／受信してもよい。各ＢＳ１９１０およびワイヤレスデバイス１９５０に対して、記述したコンポーネントのうちの１つ以上の機能は、単一のコンポーネントにより提供されてもよいことを理解すべきである。例えば、単一の処理コンポーネントが、干渉制御コンポーネント１９９０およびプロセッサ１９３０の機能を提供してもよく、単一の処理コンポーネントは、干渉制御コンポーネント１９９２およびプロセッサ１９７０の機能を提供してもよい。
【０２０８】
１つの観点において、論理チャネルは、制御チャネルとトラフィックチャネルとに分類できる。論理制御チャネルは、ブロードキャスト制御チャネル（ＢＣＣＨ）を含むことができ、ＢＣＣＨは、システム制御情報をブロードキャストするためのＤＬチャネルである。さらに、論理制御チャネルは、ページング制御チャネル（ＰＣＣＨ）を含むことができ、ＰＣＣＨは、ページング情報を伝送するＤＬチャネルである。さらに、論理制御チャネルは、マルチキャスト制御チャネル（ＭＣＣＨ）を含むことができ、ＭＣＣＨは、マルチメディアブロードキャストおよびマルチキャストサービス（ＭＢＭＳ）スケジューリングならびに１つまたはいくつかのマルチキャストトラフィックチャネル（ＭＴＣＨ）に対する制御情報を送信するために使用されるポイントツーマルチポイントＤＬチャネルである。一般に、無線リソース制御（ＲＲＣ）接続を確立した後に、このチャネルは、マルチメディアブロードキャストマルチキャストサービス（ＭＢＭＳ）（例えば、古いＭＣＣＨ＋ＭＳＣＨ）を受信するＵＥによってのみ使用される。さらに、論理制御チャネルは、専用制御チャネル（ＤＣＣＨ）を含むことができ、ＤＣＣＨは、専門制御情報を送信するポイントツーポイント双方向チャネルであり、無線リソース制御（ＲＲＣ）接続を有するＵＥによって使用できる。１つの観点において、論理トラフィックチャネルは、専用トラフィックチャネル（ＤＴＣＨ）を含むことができ、ＤＴＣＨは、ユーザ情報の転送のための、１つのＵＥに専用の、ポイントツーポイント双方向チャネルである。さらに、論理トラフィックチャネルは、トラフィックデータを送信するためのポイントツーマルチポイントＤＬチャネルに対するＭＢＭＳトラフィックチャネル（ＭＴＣＨ）を含むことができる。
【０２０９】
１つの観点において、トランスポートチャネルは、ＤＬとＵＬに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを含むことができる。ＰＣＨは、セル全体に対してブロードキャストされ、他の制御／トラフィックチャネルに対して使用できる物理レイヤ（ＰＨＹ）リソースにマッピングされることにより、ＵＥ電力節減をサポートできる（例えば、間欠受信（ＤＲＸ）周期をＵＥに対してネットワークにより示すことができる）。ＵＬトランスポートチャネルは、ランダムアクセスチャネル（ＲＡＣＨ）と、リクエストチャネル（ＲＥＱＣＨ）と、アップリンク共有データチャネル（ＵＬ−ＳＤＣＨ）と、複数のＰＨＹチャネルとを含むことができる。
【０２１０】
ＰＨＹチャネルは、１組のＤＬチャネルとＵＬチャネルとを含むことができる。例えば、ＤＬ ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメントチャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または、ロードインジケータチャネル（ＬＩＣＨ）を含むことができる。さらなる実例として、ＵＬ ＰＨＹチャネルは、物理ランダムアクセスチャネル（ＰＲＡＣＨ）、チャネル品質インジケータチャネル（ＣＱＩＣＨ）、アクノレッジメントチャネル（ＡＣＫＣＨ）、アンテナサブセットインジケータチャネル（ＡＳＩＣＨ）、共有リクエストチャネル（ＳＲＥＱＣＨ）、ＵＬ物理共有データチャネル（ＵＬ−ＰＳＤＣＨ）、および／または、ブロードバンドパイロットチャネル（ＢＰＩＣＨ）を含むことができる。
【０２１１】
ここで記述した実施形態は、ハードウェア、ソフトウェア、ファームウェア、ミドルウェア、マイクロコード、またはこれらの任意の組み合わせにおいて実現できることを理解すべきである。ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、および／または、ここで記述した機能を実行するように設計された他の電子ユニット、またはこれらの組み合わせ内で、処理ユニットを実現できる。
【０２１２】
実施形態が、ソフトウェア、ファームウェア、ミドルウェアまたはマイクロコード、プログラムコードまたはコードセグメントにおいて実現されるとき、それらは、記憶装置コンポーネントのような機械読み取り可能媒体（または、コンピュータ読み取り可能媒体）中に記憶できる。コードセグメントは、手続き、関数、サブプログラム、プログラム、ルーチン、サブルーチン、モジュール、ソフトウェアパッケージ、クラス、または命令の任意の組み合わせ、データ構造、またはプログラムのステートメントを表すことができる。情報、データ、引き数、パラメータ、またはメモリのコンテンツをパスし、および／または受け取ることにより、コードセグメントは、別のコードセグメントまたはハードウェア回路に結合できる。メモリの共有を含む任意の適切な手段、メッセージ受渡し、トークンパッシング方式、ネットワーク送信などを使用して、情報、引き数、パラメータ、データなどをパスし、転送し、または送信することができる。
【０２１３】
ソフトウェア実現のために、ここで記述した技術は、ここで記述した機能を実行するモジュール（例えば、手続き、関数など）により実現できる。ソフトウェアコードは、メモリユニット中に記憶し、プロセッサによって実行できる。メモリユニットは、プロセッサの内部またはプロセッサの外部で実現でき、いずれのケースにおいても、メモリユニットは、技術的に知られているさまざまな手段によりプロセッサに通信可能に結合できる。
【０２１４】
上述したものは1つ以上の実施形態の例を含む。もちろん、上述の実施形態を記述する目的のために、コンポーネントまたは方法のすべての考えられる組み合わせを記述することは可能ではないが、当業者は、さまざまな実施形態の多くのさらなる組み合わせおよび置換が可能であることを認識することができる。したがって、記述した実施形態は、すべてのそのような変更、修正および変形を包含することが意図されており、これらは特許請求の範囲の精神および範囲内にある。その上、用語“含む”が、詳細な説明または特許請求の範囲のいずれかで使用される限り、そのような用語は、用語“具備する”が請求項中で移行語として使用されるときに解釈されるように用語“具備する”とある意味類似して包括的であることが意図されている。
以下に、本願出願の当初の特許請求の範囲に記載された発明を付記する。
［１］ワイヤレス通信システム中での干渉管理を容易にする方法において、
担当基地局により担当されているユーザ機器に関する情報を取得することと、
前記情報に少なくとも部分的に基づいて、信号情報を決定することとを含む方法。
［２］前記情報は、低速時間スケールの情報である［１］記載の方法。
［３］前記低速時間スケールの情報は、協調情報のシグナリングにおいて提供され、協調情報はハンドオーバシグナリングである［２］記載の方法。
［４］前記取得することは、
前記担当基地局が、非担当基地局に関する測地値報告を、前記担当基地局により担当されているユーザ機器から受信すること、または、
前記担当基地局により担当されているユーザ機器が、前記非担当基地局への接続を試み、前記非担当基地局が、前記情報を取得するステップを開始すること、
のうちの少なくとも１つに応答して実行される［３］記載の方法。
［５］前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す［４］記載の方法。
［６］非担当基地局に対する、制限されているアクセスのルールに起因して、前記非担当基地局による、前記担当基地局により担当されているユーザ機器へのアクセスを認めないことをさらに含む［３］記載の方法。
［７］前記担当基地局により担当されているユーザ機器の干渉管理を、前記非担当基地局において実行することをさらに含み、干渉管理は、決定された信号情報に少なくとも部分的に基づいて実行される［６］記載の方法。
［８］干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記非担当基地局により担当されているユーザ機器に対して電力制御を実行すること、のうちの少なくとも１つを含む［７］記載の方法。
［９］前記低速タイムスケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記ワイヤレス通信システムは、ユニバーサル移動体電気通信システムである［２］記載の方法。
［１０］前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記ワイヤレス通信システムは、ロングタームエボリューションシステムである［２］記載の方法。
［１１］前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む［１０］記載の方法。
［１２］コンピュータプログラムプロダクトにおいて、
担当基地局により担当されているユーザ機器に関する情報をコンピュータに取得させるための第１の組のコードと、
前記情報に少なくとも部分的に基づいて、信号情報を前記コンピュータに決定させるための第２の組のコードと、
を含むコンピュータ読み取り可能媒体を具備し、
非担当基地局が前記コンピュータを備えているコンピュータプログラムプロダクト。
［１３］前記情報は、低速時間スケールの情報である［１２］記載のコンピュータプログラムプロダクト。
［１４］前記低速時間スケールの情報は、協調情報のシグナリングにおいて提供され、協調情報はハンドオーバシグナリングである［１３］記載のコンピュータプログラムプロダクト。
［１５］前記取得することは、前記担当基地局が、非担当基地局に関する測地値報告を、前記ユーザ機器から受信すること、または、前記担当基地局により担当されているユーザ機器が、前記非担当基地局への接続を試み、前記非担当基地局が、前記情報を取得するステップを開始すること、のうちの少なくとも１つに応答して実行される［１４］記載のコンピュータプログラムプロダクト。
［１６］前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す［１５］記載のコンピュータプログラムプロダクト。
［１７］非担当基地局に対する、制限されているアクセスのルールに起因して、前記非担当基地局による、前記担当基地局により担当されているユーザ機器へのアクセスを、前記コンピュータに認めないようにさせるための第３の組のコードをさらに含む［１４］記載のコンピュータプログラムプロダクト。
［１８］前記担当基地局により担当されているユーザ機器の干渉管理を、前記非担当基地局において、前記コンピュータに実行させるための第４の組のコードをさらに含み、前記干渉管理は、決定された信号情報に少なくとも部分的に基づいて実行される［１７］記載のコンピュータプログラムプロダクト。
［１９］干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記非担当基地局により担当されているユーザ機器に対して電力制御を実行すること、のうちの少なくとも１つを含む［１８］記載のコンピュータプログラムプロダクト。
［２０］前記低速タイムスケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである［１３］記載のコンピュータプログラムプロダクト。
［２１］前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである［１３］記載のコンピュータプログラムプロダクト。
［２２］前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む［２１］記載のコンピュータプログラムプロダクト。
［２３］装置において、
担当基地局により担当されているユーザ機器に関する情報を取得する手段と、
前記情報に少なくとも部分的に基づいて、信号情報を決定する手段とを具備する装置。
［２４］前記情報は、低速時間スケールの情報である［２３］記載の装置。
［２５］前記低速時間スケールの情報は、協調情報のシグナリングにおいて提供され、協調情報はハンドオーバシグナリングである［２４］記載の装置。
［２６］前記取得することは、
前記担当基地局が、前記装置に関する測地値報告を、前記ユーザ機器から受信し、前記担当基地局が、前記装置に前記情報を送信すること、または、
前記担当基地局により担当されているユーザ機器が、前記装置への接続を試み、前記装置が、前記情報を取得するステップを開始すること、
のうちの少なくとも１つに応答して実行される［２５］記載の装置。
［２７］前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す［２６］記載の装置。
［２８］前記装置に対する、制限されているアクセスのルールに起因して、前記担当基地局により担当されているユーザ機器へのアクセスを認めない手段をさらに具備する［２５］記載の装置。
［２９］前記担当基地局により担当されているユーザ機器の干渉管理を実行する手段をさらに具備し、干渉管理は、決定された信号情報に少なくとも部分的に基づいて実行される［２８］記載の装置。
［３０］前記非担当基地局において干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記担当基地局により担当されているユーザ機器に対して電力制御を実行すること、のうちの少なくとも１つを含む［２９］記載の装置。
［３１］前記低速タイムスケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである［２４］記載の装置。
［３２］前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである［２４］記載の装置。
［３３］前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む［３２］記載の装置。
［３４］装置において、
担当基地局により担当されているユーザ機器に関する情報を取得し、
前記情報に少なくとも部分的に基づいて、信号情報を決定するように構成されている非担当基地局を具備する装置。
［３５］前記情報は、低速時間スケールの情報である［３４］記載の装置。
［３６］前記低速時間スケールの情報は、協調情報のシグナリングにおいて提供され、協調情報はハンドオーバシグナリングである［３５］記載の装置。
［３７］前記取得することは、前記担当基地局が、前記非担当基地局に関する測地値報告を、前記ユーザ機器から受信し、前記担当基地局が前記非担当基地局に前記情報を送信すること、または、前記担当基地局により担当されているユーザ機器が、前記非担当基地局への接続を試み、前記非担当基地局が、前記情報を取得するステップを開始すること、のうちの少なくとも１つに応答して実行される［３６］記載の装置。
［３８］前記測定値報告は、受信信号強度インジケータの測定値、基準信号の受信電力測定値、または、基準信号の受信品質測定値のうちの少なくとも１つを含み、前記測定値報告は、前記受信信号強度インジケータの測定値、前記基準信号の受信電力測定値、または、前記基準信号の受信品質測定値のうちの少なくとも１つが、しきい値よりも大きいことを示す［３７］記載の装置。
［３９］前記非担当基地局は、前記非担当基地局に対する、制限されているアクセスのルールに起因して、前記担当基地局により担当されているユーザ機器へのアクセスを認めないようにさらに構成されている［３６］記載の装置。
［４０］前記非担当基地局は、前記担当基地局により担当されているユーザ機器の干渉管理を、前記非担当基地局において実行するようにさらに構成されており、前記干渉管理は、決定された信号情報に少なくとも部分的に基づいて実行される［３９］記載の装置。
［４１］干渉管理を実行することは、前記担当基地局により担当されているユーザ機器から送信されたアップリンク信号を除去すること、アップリンク信号が、前記担当基地局により担当されているユーザ機器からスケジュールされる搬送波とは異なる搬送波上で、信号の送信をスケジュールすること、または、前記担当基地局により担当されているユーザ機器に対して電力制御を実行すること、のうちの少なくとも１つを含む［４０］記載の装置。
［４２］前記低速タイムスケールの情報は、前記ユーザ機器により使用されるスクランブリングコード、または、前記ユーザ機器に対するアップリンクチャネルコンフィギュレーション情報のうちの少なくとも１つであり、前記アップリンクチャネルコンフィギュレーション情報は、アップリンク専用物理チャネルまたは拡張専用物理チャネルのうちの少なくとも１つを含み、前記低速時間スケールの情報を提供するワイヤレス通信システムは、ユニバーサル移動体電気通信システムである［３５］記載の装置。
［４３］前記低速時間スケールの情報は、前記ユーザ機器に関係付けられているセル無線ネットワーク一時識別子、前記ユーザ機器に対するパーシステント割り当て情報、前記ユーザ機器に関する物理チャネルコンフィギュレーション情報、または、前記担当基地局により使用されている多数の制御チャネルシンボル、のうちの少なくとも１つであり、前記低速時間スケールの情報を提供するワイヤレス通信システムは、ロングタームエボリューションシステムである［３５］記載の装置。
［４４］前記ユーザ機器に対するパーシステント割り当て情報は、割り当てられているリソースブロック、前記ユーザ機器に関係付けられているパーシステント割り当ての周期性を示す情報、前記ユーザ機器に関係付けられているパーシステント割り当て中で使用される変調を示す情報、前記ユーザ機器に関係付けられているパーシステント割り当てに適用可能なコーディングレートを示す情報、または、前記ユーザ機器に関係付けられているパーシステント割り当てのホッピングを示す情報、のうちの少なくとも１つであり、
前記ユーザ機器に関する物理チャネルコンフィギュレーション情報は、物理アップリンク制御チャネル、物理アップリンク共有チャネル、または、サウンディング基準信号、のうちの少なくとも１つを含む［４３］記載の装置。
【図１】
0005571166.tif 000002
【図２】
0005571166.tif 000003
【図３】
0005571166.tif 000004
【図４】
0005571166.tif 000005
【図５】
0005571166.tif 000006
【図６Ａ】
0005571166.tif 000007
【図６Ｂ】
0005571166.tif 000008
【図７】
0005571166.tif 000009
【図８Ａ】
0005571166.tif 000010
【図８Ｂ】
0005571166.tif 000011
【図９】
0005571166.tif 000012
【図１０】
0005571166.tif 000013
【図１１】
0005571166.tif 000014
【図１２】
0005571166.tif 000015
【図１３】
0005571166.tif 000016
【図１４】
0005571166.tif 000017
【図１５】
0005571166.tif 000018
【図１６】
0005571166.tif 000019
【図１７】
0005571166.tif 000020
【図１８】
0005571166.tif 000021
【図１９】
0005571166.tif 000022